(57)【特許請求の範囲】
【請求項１】
複数の基地局を備える通信システムの基地局であって、該基地局によって現在サービングされている移動中継ノードのハンドオーバーを開始し、該基地局は、
前記移動中継ノードに前記通信システムへのアクセスを与えるように該基地局のサービングセルを前記移動中継ノードと関連付ける手段と、
少なくとも１つの更なる基地局を識別し、前記少なくとも１つの更なる基地局が、前記少なくとも１つの更なる基地局によって運用される少なくとも１つのセルを介して、前記移動中継ノードにドナーサービスを提供できることを指示する情報を得る手段と、
前記少なくとも１つの更なる基地局が前記移動中継ノードにドナーサービスを提供できることを指示する、前記得る手段によって得た前記情報に基づいて、前記移動中継ノードにドナーサービスを提供できる少なくとも１つのセルの測定を実行するように、前記移動中継ノードを構成する手段と、
前記移動中継ノードが前記サービングセルとは異なるセルにハンドオーバーする必要がある時点を判断する手段と、
前記移動中継ノードから前記測定の結果を受信する手段と、
受信した前記測定の結果に基づいて、前記得られた情報によって識別される前記少なくとも１つの更なる基地局の前記少なくとも１つのセルから、前記移動中継ノードの前記ハンドオーバーのためのターゲットセルを選択する手段と、
前記選択されたターゲットセルへの前記移動中継ノードのハンドオーバーを実行する手段と、
を備える、複数の基地局を備える通信システムの基地局。
【請求項２】
前記得る手段は、少なくとも１つのＸ２プロトコルメッセージを用いるように動作可能である請求項１に記載の基地局。
【請求項３】
前記少なくとも１つのＸ２プロトコルメッセージは、「Ｘ２設定要求」、「Ｘ２設定応答」及び「ＥＮＢ構成更新」メッセージのうちの少なくとも１つを含む請求項２に記載の基地局。
【請求項４】
前記少なくとも１つのＸ２プロトコルメッセージは、前記移動中継ノードが動作することができる前記特定の基地局の各セルを識別する指示子（例えば、「ＭＲＮハンドオーバー許可」情報要素）を含む請求項２又は請求項３に記載の基地局。
【請求項５】
前記移動中継ノード構成手段は、ドナー対応セルの探索を構成するように動作可能である、請求項１〜４のいずれか一項に記載の基地局。
【請求項６】
前記移動中継ノード構成手段は、少なくとも１つのＲＲＣプロトコルメッセージを用いて前記構成を実行するように動作可能である１〜５のいずれか一項に記載の基地局。
【請求項７】
前記少なくとも１つのＲＲＣプロトコルメッセージは、接続再構成メッセージ（例えば、ＲＲＣ接続再構成メッセージ）を含む、請求項６に記載の基地局。
【請求項８】
前記少なくとも１つのＲＲＣプロトコルメッセージは、情報要素を含む、請求項６又は請求項７に記載の基地局。
【請求項９】
前記情報要素は、「ＭｅａｓＣｏｎｆｉｇ」及び「近接指示」（例えば、「ｐｒｏｘｉｍｉｔｙＩｎｄｉｃａｔｉｏｎＥＵＴＲＡ−ＲＮ」）情報要素の少なくとも１つを含む、請求項８に記載の基地局。
【請求項１０】
複数の基地局を備える通信システムの移動中継ノードであって、該移動中継ノードをサービングする現在の基地局によってハンドオーバーターゲットセルを選択するための情報を与え、該移動中継ノードは、
ドナー基地局として動作する前記現在の基地局のサービングセルと協働する手段と、
前記移動中継ノードにドナーサービスを提供できる少なくとも１つの更なる基地局を識別する情報に基づく測定構成を、現在の基地局から受信する手段であって、前記測定構成に基づいて前記移動中継ノードにドナーサービスを提供できる少なくとも１つのセルの測定を実行するように前記移動中継ノードを構成する手段と、
前記現在の基地局に、前記測定の結果を含む少なくとも１つの測定報告を報告する手段と、
を備える、複数の基地局を備える通信システムの移動中継ノード。
【請求項１１】
請求項１〜９のいずれか一項に記載の基地局と、請求項１０に記載の移動中継ノードとを備えるシステム。
【請求項１２】
複数の基地局を備える通信システム内の基地局によって、前記基地局によって現在サービングされている中継ノードのハンドオーバーを開始するように実行される方法であって、該方法は、
前記移動中継ノードに前記通信システムへのアクセスを与えるように前記基地局のサービングセルを前記移動中継ノードに関連付けることと、
少なくとも１つの更なる基地局を識別し、前記少なくとも１つの更なる基地局が、前記少なくとも１つの更なる基地局によって運用される少なくとも１つのセルを介して前記移動中継ノードにドナーサービスを提供することができることを指示する情報を得ることと、
前記移動中継ノードにドナーサービスを提供できる少なくとも１つの更なる基地局を示す、前記得る手段によって得た情報に基づいて、前記移動中継ノードにドナーサービスを提供できる少なくとも１つのセルの測定を実行するように前記移動中継ノードを構成することと、
前記移動中継ノードが前記サービングセルとは異なるセルへのハンドオーバーを必要とする時点を判断することと、
前記移動中継ノードから、前記測定の結果を受信することと、
受信した前記測定の結果に基づいて、前記移動中継ノードの前記ハンドオーバーのためのターゲットセルを選択することと、
前記選択されたターゲットセルへの前記移動中継ノードのハンドオーバーを実行することと、
を含む、複数の基地局を備える通信システム内の基地局によって、前記基地局によって現在サービングされている中継ノードのハンドオーバーを開始するように実行される方法。
【請求項１３】
複数の基地局を備える通信システム内の移動中継ノードによって、前記移動中継ノードをサービングする現在の基地局によるハンドオーバーターゲットセル選択のための情報を与えるように実行される方法であって、該方法は、
ドナー基地局として動作している前記現在の基地局のサービングセルと協働することと、
前記移動中継ノードにドナーサービスを提供できる少なくとも１つの更なる基地局を識別する情報に基づく測定構成を、現在の基地局から受信して、前記測定構成に基づいて前記移動中継ノードにドナーサービスを提供できる少なくとも１つのセルの測定を実行するように、前記移動中継ノードを構成することと、
前記現在の基地局に、前記測定の結果を含む少なくとも１つの測定報告を報告することと、
を含む方法。
【請求項１４】
コンピュータープログラムであって、請求項１〜９のいずれか一項に記載の基地局、又は請求項１０に記載の移動中継ノードとしてプログラマブルコンピューターデバイスを構成させるコンピューター実施可能命令を含む、コンピュータープログラム。
【発明の詳細な説明】
【技術分野】
【０００１】
本発明は、移動通信デバイス又は固定通信デバイスに中継サービスを提供する通信システム及びその構成要素に関する。本発明は、限定はしないが、関連付けられる第３世代パートナーシッププロジェクト（３ＧＰＰ）標準規格の文書作成において現在定義されているような長期発展型（ＬＴＥ）アドバンストシステムにおいて移動中継器のためのハンドオーバートリガー及び測定を提供することに特に関連する。
【背景技術】
【０００２】
中継は、ＬＴＥアドバンストに関して、例えばユーザー機器（ＵＥ：User Equipment）のための高データレートのカバレッジ、一時的なネットワーク展開、セルエッジスループットを改善し、及び／又は新たなセルエリア内のカバレッジを提供するツールとみなされる。ＬＴＥアドバンストは、基地局（ｅＮＢ）（ドナーｅＮＢ（ＤｅＮＢ：Donor eNB）と呼ばれる）に無線接続される中継ノード（ＲＮ：Relay Node）を有することによって中継をサポートする。自らの「ドナー」セルをサービングすることに加えて、ドナーｅＮＢは発展型ユニバーサル陸上無線アクセス（Ｅ−ＵＴＲＡ：Evolved Universal Terrestrial Radio Access）無線インターフェースの修正版によって、ＲＮをサービングする。修正されたインターフェースは「Ｕｎ」インターフェースと呼ばれる。
【０００３】
各ＲＮは、基地局の機能の数多くの態様を与えられ、それゆえ、自らの「中継」セルをサービングする基地局としての役割を果たすことができる。それゆえ、中継セル内のユーザー機器（例えば移動電話等）の視点で見ると、ＲＮは基本的に従来のＬＴＥ基地局であるように見える。しかしながら、基地局機能に加えて、ＲＮは、ドナーｅＮＢに無線接続できるようにするために、例えば、物理レイヤ機能、媒体アクセス制御（ＭＡＣ：Medium Access Control）機能、無線リソース制御（ＲＲＣ：Radio Resource Control）機能及び非アクセス層（ＮＡＳ：Non Access Stratum）機能の数多くの態様を含む、ＵＥ機能のサブセットもサポートする。それゆえ、ドナーｅＮＢの視点で見ると、ＲＮは基本的に移動（セルラー）電話のようなユーザー機器のアイテムであるように見える。
【０００４】
移動電話が通信システムによってカバーされるエリアの中を動き回るとき、信号状態と、要求されるサービスの品質レベル、用いられるサービスのタイプ、全体的なシステム負荷等の他の要件とに応じて、移動電話はセル（すなわち、基地局）間でハンドオーバーする。移動電話を新たなセルにハンドオーバーするためのトリガーは、個々の移動電話によって実行される隣接セルの測定に基づくことができる。トリガーのタイプ、及び移動電話によって実行されることになる関連する測定は、３ＧＰＰ  ＴＳ  ３６．３３１  ｖ１０．５．０標準規格のセクション５．５．４において詳述されている。詳細には、上記の標準規格は、基地局がそのセル（複数の場合もある）内のユーザー機器に対して構成することができる８つの異なるイベントタイプ（イベントＡ１〜Ａ６、Ｂ１及びＢ２）に関連する測定報告トリガー処理を定義する。要するに、そのようなトリガーは、一般的に、移動電話のサービングセル（又は隣接するセル）があらかじめ定義された閾値又は所定のオフセット値より良くなる（又は悪くなる）ときのイベントに関連する場合がある。
【０００５】
全体的なモビリティシーケンスの更なる詳細が、３ＧＰＰ  ＴＳ  ３６．３００標準規格のセクション１０．１．２に記述されており、そのセクションは、基地局による測定の設定と、その後のハンドオーバートリガー処理とを記述している。
【０００６】
技術的問題
状況によっては、ＲＮは、列車、バス、船舶、航空機上等の移動している乗り物内に設置されることになる。それゆえ、そのようなモバイルＲＮ（ＭＲＮ）は、乗り物が移動するにつれて、そのアタッチメントをドナーｅＮＢ間で変更することになる。しかしながら、移動中継ノードが、ネットワークへのそのアタッチメントポイントを変更するときであっても、移動電話は移動中継ノードの同じセル（複数の場合もある）によってサービングされ続けるので、移動電話の観点から、ハンドオーバーは生じない。
【０００７】
中継ノードはドナー基地局にとって任意の他のユーザー機器と同じように見えるので、ドナー基地局は、上記の標準規格においてユーザー機器に関して定義される測定報告及びハンドオーバー機構を再利用しようと試みる。しかしながら、移動中継ノードは高速の列車又は航空機上に設置される場合があるので、これらの既存の測定は、従来の移動電話の場合よりも、移動中継ノードの場合に精度が低下するおそれがある。さらに、そのような測定は実行するのに時間がかかり、そのような高速環境において移動中継ノードが基地局間でハンドオーバーに成功するのを妨げるおそれがある。
【０００８】
さらに、移動電話はそのサービング／ターゲット基地局によるドナーサービスの提供を必要としないので、既存のＵＥ測定は、ＤｅＮＢセルと、非ＤｅＮＢセル（すなわち、中継ノードに対してドナーとしての役割を果たすことができないｅＮＢ）とを区別することができない。非ＤｅＮＢセル（すなわち、ドナー基地局サービスが提供されない基地局のセル）によって、ＭＲＮにおいて測定イベントがトリガーされる場合には、その測定イベントは、ＭＲＮハンドオーバーの目的から外れていることになる。測定イベントによっては、隣接セルのいずれかによってトリガーされる場合もある。しかしながら、イベントをトリガーする隣接セルが、許可されたＤｅＮＢセルでない場合には、そのイベントはＭＲＮハンドオーバーの実行を成功させるのに有用なトリガーではない。それゆえ、そのような測定を実行することは、ＭＲＮ及び基地局のリソースの無駄遣いである。
【発明の概要】
【発明が解決しようとする課題】
【０００９】
本発明は、上記の問題のうちの１つ又は複数を克服するか、又は少なくとも軽減する改善された通信システム、及び通信システムの改善された構成要素を提供することを目的とする。詳細には、本発明は、必要とされる測定及び／又は関連するシグナリングを最小化しながら、ＭＲＮの速い速度によって、又は許可されないＤｅＮＢセルである幾つかの隣接セルによって引き起こされるハンドオーバー失敗を低減する移動中継ノードのためのロバストなハンドオーバー機構を提供することを目的とする。
【課題を解決するための手段】
【００１０】
本発明の１つの態様は、複数の基地局を備える通信システムの基地局であって、該基地局によって現在サービングされている移動中継ノードのハンドオーバーを開始し、該基地局は、
前記移動中継ノードに前記通信システムへのアクセスを与えるように該基地局のサービングセルを前記移動中継ノードと関連付ける手段と、
少なくとも１つの更なる基地局を識別し、前記少なくとも１つの更なる基地局が、前記少なくとも１つの更なる基地局によって運用される少なくとも１つのセルを介して、前記移動中継ノードにドナーサービスを提供できることを指示する情報を得る手段と、
前記移動中継ノードが前記サービングセルとは異なるセルにハンドオーバーする必要がある時点を判断する手段と、
前記得られた情報によって識別される前記少なくとも１つの更なる基地局の前記少なくとも１つのセルから、前記移動中継ノードの前記ハンドオーバーのためのターゲットセルを選択する手段と、
前記選択されたターゲットセルへの前記移動中継ノードのハンドオーバーを実行する手段と、
を備える、複数の基地局を備える通信システムの基地局を提供する。
【００１１】
本発明の別の態様は、複数の基地局を備える通信システムの移動中継ノードであって、該移動中継ノードをサービングする現在の基地局によってハンドオーバーターゲットセルを選択するための情報を与え、該移動中継ノードは、
ドナー基地局として動作する前記現在の基地局のサービングセルと協働する手段と、
少なくとも１つの更なる基地局を識別し、前記少なくとも１つの更なる基地局が、前記少なくとも１つの更なる基地局によって運用される少なくとも１つのセルを介して、前記中継ノードにドナーサービスを提供できることを指示する情報を得る手段と、
前記移動中継ノードが位置するカバレッジエリアを有する少なくとも１つのセルの通信特性の測定を構成し、実行する手段と、
前記現在の基地局に、前記測定の結果を含む少なくとも１つの測定報告を報告する手段と、
を備え、該移動中継ノードは、
前記少なくとも１つの測定報告において、前記得られた情報によって識別された前記少なくとも１つの更なる基地局の少なくとも１つのセルに関連する測定の結果を与え、
前記少なくとも１つの測定報告において、前記移動中継ノードが位置するが、前記得られた情報によって識別された前記少なくとも１つの更なる基地局によって運用されないカバレッジエリアを有するセルに関連する測定の結果を与えないように動作可能である、複数の基地局を備える通信システムの移動中継ノードを提供する。
【００１２】
本発明の別の態様は、上記のような基地局及び上記のような移動中継ノードを備えるシステムを提供する。
【００１３】
本発明の別の態様は、複数の基地局を備える通信システム内の基地局によって、前記基地局によって現在サービングされている中継ノードのハンドオーバーを開始するように実行される方法であって、該方法は、
前記移動中継ノードに前記通信システムへのアクセスを与えるように前記基地局のサービングセルを前記移動中継ノードに関連付けることと、
少なくとも１つの更なる基地局を識別し、前記少なくとも１つの更なる基地局が、前記少なくとも１つの更なる基地局によって運用される少なくとも１つのセルを介して前記移動中継ノードにドナーサービスを提供することができることを指示する情報を得ることと、
前記移動中継ノードが前記サービングセルとは異なるセルへのハンドオーバーを必要とする時点を判断することと、
前記得られた情報によって識別された前記少なくとも１つの更なる基地局の前記少なくとも１つのセルから、前記移動中継ノードの前記ハンドオーバーのためのターゲットセルを選択することと、
前記選択されたターゲットセルへの前記移動中継ノードのハンドオーバーを実行することと、
を含む、複数の基地局を備える通信システム内の基地局によって、前記基地局によって現在サービングされている中継ノードのハンドオーバーを開始するように実行される方法を提供する。
【００１４】
本発明の別の態様は、複数の基地局を備える通信システム内の移動中継ノードによって、前記移動中継ノードをサービングする現在の基地局によるハンドオーバーターゲットセル選択のための情報を与えるように実行される方法であって、該方法は、
ドナー基地局として動作している前記現在の基地局のサービングセルと協働することと、
少なくとも１つの更なる基地局を識別し、前記少なくとも１つの更なる基地局が、前記少なくとも１つの更なる基地局によって運用される少なくとも１つのセルを介して前記移動中継ノードにドナーサービスを提供することができることを指示する情報を得ることと、
前記移動中継ノードが位置するカバレッジエリアを有する少なくとも１つのセルの通信特性の測定を構成し、実行することと、
前記現在の基地局に、前記測定の結果を含む少なくとも１つの測定報告を報告することと、
を含み、前記報告するステップにおいて、前記移動中継は、
前記少なくとも１つの測定報告において、前記得られた情報によって識別された前記少なくとも１つの更なる基地局の少なくとも１つのセルに関連する測定の結果を与え、
前記少なくとも１つの測定報告において、前記移動中継ノードが位置するが、前記得られた情報によって識別された前記少なくとも１つの更なる基地局によって運用されないカバレッジエリアを有するセルに関連する測定の結果を与えない、複数の基地局を備える通信システム内の移動中継ノードによって、前記移動中継ノードをサービングする現在の基地局によるハンドオーバーターゲットセル選択のための情報を与えるように実行される方法を提供する。
【００１５】
本発明の別の態様は、プログラマブルコンピューターデバイスが上記のような基地局として、又は上記のような移動中継ノードとして構成されるようにするコンピューター実施可能命令を含むコンピュータープログラム製品を提供する。
【００１６】
また、本発明は、対応する方法、及びキャリア信号において、又は記録媒体において提供することができるコンピューターソフトウェア製品も提供する。
【００１７】
次に、本発明の実施形態を、単に例として、添付の図面を参照しながら説明する。
【図面の簡単な説明】
【００１８】
【図１】列車に搭載された移動中継ノードを有する移動電気通信システムを概略的に示す図である。
【図２】図１に示すシステムの一部を成す移動中継ノードの主な構成要素を示すブロック図である。
【図３】図１に示すシステムの一部を成すドナー基地局の主な構成要素を示すブロック図である。
【図４】許可可能なドナー基地局のリストを用いて、ハンドオーバー関連測定を構成及び実行し、報告するときに通信システムの構成要素によって実行される方法を示す例示的なタイミング図である。
【図５】許可可能なドナー基地局のリストを用いて、ハンドオーバー関連測定を構成及び実行し、報告するときに通信システムの構成要素によって実行される方法を示す別の例示的なタイミング図である。
【図６】経路情報及び位置決め測定を用いて、ハンドオーバー関連測定を構成及び実行し、報告するときに通信システムの構成要素によって実行される方法を示す例示的なタイミング図である。
【図７】サービングセルの経路情報及び位置決め測定を用いて、ハンドオーバー関連測定を構成及び実行し、報告するときに通信システムの構成要素によって実行される方法を示す例示的なタイミング図である。
【図８】移動中継ノードがハンドオーバー関連測定を自律的に設定及び実行し、報告するときに、通信システムの構成要素によって実行される方法を示す例示的なタイミング図である。
【図９】近接指示手順を用いて通信システムの構成要素によって実行される方法を示す例示的なタイミング図である。
【図１０】経路情報及び位置決め測定に基づいてハンドオーバーを実行するときに、通信システムの構成要素によって実行される方法を示す例示的なタイミング図である。
【図１１】サービングセルの経路情報及び位置決め測定を用いて、ハンドオーバー関連測定を構成及び実行し、報告するときに通信システムの構成要素によって実行される方法を示す別の例示的なタイミング図である。
【図１２】測定を含む、ＨＯトリガー処理のための既存のメッセージシーケンスを示す図である。
【図１３】方法１．１：測定を含む、ＨＯトリガー処理のためのメッセージシーケンスを示す図である。
【図１４】方法１．１．２：Ｘ２を介して交換される許可ＤｅＮＢセルリスト情報を示す図である。
【図１５】方法２．１：測定を含む、ＨＯトリガー処理のためのメッセージシーケンスを示す図である。
【図１６】方法３．１：測定を含む、ＨＯトリガー処理のためのメッセージシーケンスを示す図である。
【図１７】方法３．２：測定を含む、ＨＯトリガー処理のためのメッセージシーケンスを示す図である。
【図１８】方法４．１：測定を含む、ＨＯトリガー処理のためのメッセージシーケンスを示す図である。
【図１９】ＭＲＮのための可能な近接指示手順を示す図である。
【図２０】方法５．１：測定を含む、ＨＯトリガー処理のためのメッセージシーケンスを示す図である。
【図２１】方法５．２：測定を含む、ＨＯトリガー処理のためのメッセージシーケンスを示す図である。
【発明を実施するための形態】
【００１９】
概説
図１は、移動（セルラー）電気通信システム１を概略的に示しており、その電気通信システムは、移動中継ノード３を有する列車２を含む。この移動中継ノード３は、列車２内でユーザーによって携帯される複数のユーザー機器４、例えば、移動電話に基地局機能を提供する。列車２が線路６に沿って進むにつれて、移動中継ノード３はドナー基地局５−１及び５−２にアタッチする。ドナー基地局５−１及び５−２はそれぞれ幾つかのセル（すなわち、それぞれセル１及びセル２）を運用し、それらのセル内でドナー基地局はドナー基地局サービスを提供する。この例では、基地局５−３はセル３を運用し、そのセル内ではドナー基地局サービスは利用できない（それゆえ、移動中継ノード３は中継ノードとして基地局５−３に接続することができない）。
【００２０】
基地局５はコアネットワーク７に結合され、コアネットワークは、数ある中でも、コアネットワーク７内の移動電話４のモビリティを管理するモビリティ管理エンティティ（ＭＭＥ）９と、ネットワーク内の種々のデバイスを構成する運用保守ユニット（ＯＡＭ）１１とを含む。このシステムでは、基地局５は、Ｘ２インターフェースを介して互いに結合される。
【００２１】
列車２が線路６に沿って進むにつれて、移動中継ノード３の地理的場所が変化するので、移動中継ノード３を、移動電話３であるかのように、新たな基地局５にハンドオーバーする必要がある。
【００２２】
有利には、以下に更に詳細に説明される実施形態では、移動中継ノード３及び現在移動中継ノード３をサービングしているドナー基地局５−１は、移動中継ノード３が接続することができる許可ドナー基地局のリスト１０を考慮に入れて、移動中継ノード３のハンドオーバーの裏付けとして、ハンドオーバー関連測定及びシグナリングを構成し、実行する。許可ドナー基地局のリスト１０は、例えば、ＯＡＭ１１から得ることができ、少なくとも、所与の移動中継ノード３にドナー基地局サービスを提供することができる通信ネットワーク１の基地局５を識別する情報を含む。許可ドナー基地局のリスト１０は通常、移動中継ノード３がその経路に沿って進むにつれて移動中継ノード３の範囲内に入ることになる全ての基地局のサブセットを含む。その際、ドナー基地局５−１（又は移動中継ノード３）は、許可ドナー基地局のリスト１０内で識別されたドナー基地局５に属するセルの中から、移動中継ノード３のためのハンドオーバーターゲットセルを選択する。このようにして、ハンドオーバー試行失敗の発生率を著しく削減することができる。
【００２３】
移動中継ノード
図２は、図１に示される中継ノード３の主要構成要素を示すブロック図である。移動中継ノード３は、自らのカバレッジエリア内でサービスを提供する、基地局のような通信ノードであるが、移動中継ノード３は、コアネットワーク７に直接接続しない。代わりに、中継ノードは、ドナー基地局５に無線接続し、その際、ドナー基地局がコアネットワーク７への接続を与えるように動作可能である。
【００２４】
図示されるように、移動中継ノード３は送受信機回路３１を含み、送受信機回路は、ドナー基地局（ＤｅＮＢ）アンテナ３３を介してドナー基地局５に対して信号を送信及び受信し、ＵＥアンテナ３５を介して列車２上のユーザー機器４に対して信号を送信及び受信する。送受信機回路３１の動作は、メモリ３９内に記憶されるソフトウェアに従ってコントローラー３７によって制御される。そのソフトウェアは、数ある中でも、オペレーティングシステム４１と、通信制御モジュール４３と、ドナー基地局（ＤｅＮＢ）登録モジュール４４と、ユーザー機器（ＵＥ）登録モジュール４５と、測定及び報告モジュール４７と、位置決めモジュール４８と、運用保守モジュール４９とを含む。
【００２５】
通信制御モジュール４３は、例えば、ユーザー機器４のそれぞれとの通信、及びドナー基地局５との通信において送受信機回路３１によって使用されることになるリソースの割当てを含む、ユーザー機器４及びドナー基地局５との通信を制御する。
【００２６】
ドナー基地局登録モジュール４４は、例えば、移動中継ノード３の起動中又はハンドオーバー中に、ドナー基地局５での移動中継ノード３の登録を実行する。ユーザー機器登録モジュール４５は、移動中継ノード３のセル（複数の場合もある）によってサービングされるユーザー機器４を追跡する。
【００２７】
測定及び報告モジュール４７は、ドナー基地局５−１又は運用保守モジュール４９によって構成される測定イベントに従って信号測定を実行する。また、測定及び報告モジュール４７は、測定報告を生成し、ドナー基地局５に送信する。
【００２８】
位置決めモジュール４８は、移動中継ノード３の地理的場所に関連する情報を得るための手順を実行する。
【００２９】
運用保守モジュール４９は、移動中継ノード３の動作パラメーターを設定し、記憶するためにコアネットワーク７内のＯＡＭエンティティ１１とインターフェースするように動作可能である。
【００３０】
ドナー基地局
図３は、図１に示すドナー基地局５−１等のドナー基地局５における主な構成要素を示すブロック図である。ドナー基地局５は、自身のカバレッジエリア内のユーザー機器４にサービスを提供する固定通信ノードである。本発明による実施形態では、ドナー基地局５は、移動中継ノード３を介して列車２内のユーザー機器４と通信している。図示するように、ドナー基地局５は、少なくとも１つのアンテナ５３を介して中継ノード３に対して信号を送受信する送受信機回路５１を備える。また、ドナー基地局５は、ネットワークインターフェース５５（隣接する基地局５と通信するためのＸ２インターフェース及びコアネットワーク７と通信するためのＳ１インターフェース）を介して、コアネットワーク７及び他の隣接する基地局５に対して信号を送信及び受信する。送受信機回路５１の動作は、メモリ５９に記憶されたソフトウェアに従ってコントローラー５７によって制御される。このソフトウェアは、特に、オペレーティングシステム６１、通信制御モジュール６３、中継ノード管理モジュール６５、中継ノードハンドオーバーモジュール６７、位置決めモジュール６８、及び運用保守モジュール６９を含む。
【００３１】
通信制御モジュール６３は、ドナー基地局５及び移動中継ノード３と、ユーザー機器４と、ＭＭＥ９及びＯＡＭ１１等のネットワークデバイスとの通信を制御する。
【００３２】
中継ノード管理モジュール６５は、基地局５と当該基地局にアタッチされた中継ノード３との接続を制御する。
【００３３】
中継ノードハンドオーバーモジュール６７は、ハンドオーバーターゲットセルを選択することに関連して実行される、移動中継ノード３に関する測定を構成する。中継ノードハンドオーバーモジュール６７は、移動中継ノード３が接続することができるターゲットセルを識別する情報を得る。
【００３４】
位置決めモジュール６８は、移動中継ノード３の地理的場所に関連する情報を得るための手順を実行する。
【００３５】
運用保守モジュール６９は、基地局５の動作パラメーターを設定し、記憶するためにコアネットワーク７内のＯＡＭエンティティ１１とインターフェースする。
【００３６】
上記の説明において、移動中継ノード３及びドナー基地局５は、理解するのを容易にするために、幾つかの個別のモジュール（通信制御モジュール、並びに運用保守モジュール等）を有するように説明された。これらのモジュールは、特定の応用形態、例えば、既存のシステムを変更して本発明を実施した場合にこのようにして設けることができるが、他の応用形態、例えば、最初から本発明の特徴を念頭に置いて設計されたシステムでは、これらのモジュールは、オペレーティングシステム又はコード全体の中に組み込むことができるので、これらのモジュールは個別のエンティティとして区別できない場合がある。これらのモジュールは、ソフトウェア、ハードウェア、ファームウェア又はこれらの組み合わせにおいて実施することもできる。
【００３７】
ここで、上記の中継ノード３及びドナー基地局５を用いて本発明をいかに実施することができるかを示す幾つかの異なる実施形態が記述される。それらの実施形態を、図４〜図１１に示される流れ図を参照しながら説明する。
【００３８】
リストに基づくハンドオーバートリガー処理
第１の実施形態
図４は、許可可能なドナー基地局のリスト１０を用いて、ハンドオーバー関連測定を構成及び実行し、報告するときに、通信システム１の構成要素によって実行される方法を示す例示的なタイミング図を示す。この実施形態では、許可ドナー基地局のリスト１０は、移動中継ノード３を現在サービングしているドナー基地局５−１によって用いられる。詳細には、ドナー基地局５−１は、リスト１０を用いて、許可ドナー基地局のリストに対する、移動中継ノード３付近のセルに関して移動中継ノード３から受信された測定報告のフィルタリングを実行し、ドナーサービスを提供することができる各基地局５のセルに関連する測定報告を識別する。その後、サービングドナー基地局５−１が、リスト１０上に含まれる基地局に向かうハンドオーバーだけをトリガーすることになるように、ドナーサービスを提供することができる各基地局５のセルに関連する測定報告に基づいて、かつドナーサービスを提供できない基地局５のセルに関連する測定報告に基づくことなく、ハンドオーバー判断が実行される。
【００３９】
図示されるように、ステップｓ４０１において、ドナー基地局５−１は、例えば、その運用保守モジュール６９を用いてＯＡＭ１１から、許可ドナー基地局のリスト１０を入手し、そのメモリ５９に記憶する。リスト１０は、少なくとも、所与の移動中継ノード３にドナー基地局サービスを提供することができる基地局を含む（通常、それらの基地局は、ドナー基地局サービスを提供することができる全ての基地局のサブセットとすることができる）。代替的には、許可ドナー基地局のリスト１０は、ドナー基地局サービスを提供する通信システム１の全ての基地局を含むことができる。
【００４０】
ステップｓ４０３において、中継ノードハンドオーバーモジュール６７は、「ＲＲＣ接続再構成」メッセージを生成し、（送受信機回路５１を介して）移動中継ノード３に送信する。このメッセージは、ＭＲＮ３に、この基地局５−１によってサービングされるユーザー機器（移動電話等）によって実行されるのと同じ測定を実行するように要求する。中継ノードハンドオーバーモジュール６７は、このメッセージに「ＭｅａｓＣｏｎｆｉｇ」情報要素（ＩＥ）を含めることによってこれを果たし、その情報要素は、測定の種類と、それらの測定が移動中継ノード３によって開始される必要がある条件とを規定する。詳細には、「ＭｅａｓＣｏｎｆｉｇ」ＩＥは、３ＧＰＰ  ＴＳ３６．３３１  ｖ１０．５．０標準規格において規定されているようなイベントタイプ（すなわち、イベントＡ１〜Ａ６、Ｂ１及びＢ２）のうちの少なくとも１つのための測定パラメーターを含み、その標準規格の内容は引用することにより本明細書の一部をなす。そのようなパラメーターは、例えば、現在のサービングセルに対する閾値信号レベルを規定することができ、その信号レベル未満の場合に移動中継ノード３が、構成された測定を開始することになる。この結果として、実効的には、移動中継ノード３は、現在のセル内で信号品質の劣化（例えば、移動中継ノード３がドナー基地局５−１から離れつつあることに起因する）を受けているときにハンドオーバーすることができる他の基地局セルの探索を実行する。
【００４１】
このＲＲＣ接続再構成メッセージを受信するのに応答して、移動中継ノード３は、ステップｓ４０５において、受信された「ＭｅａｓＣｏｎｆｉｇ」ＩＥに従ってその測定及び報告モジュール４７を構成し、その中に規定された条件が満たされたか否かを監視し始める。その後、ステップｓ４０７において、移動中継ノード３は、「ＲＲＣ接続再構成完了」メッセージを生成し、ドナー基地局５−１に送信することによって、測定再構成が成功したことを確認する。
【００４２】
「ＭｅａｓＣｏｎｆｉｇ」ＩＥにおいて定義された条件が満たされたときに、ステップｓ４０９において、移動中継ノード３は、「ＭｅａｓＣｏｎｆｉｇ」ＩＥにおいてドナー基地局５−１によって識別されたセルに関する必要なセル測定を実行する（この実施形態では、ドナー基地局５−１によって識別されるセルは、許可ＤｅＮＢリスト１０上のセルには限定されず、中継ノード３が接続することを許可されない他の隣接するセルを含む場合がある）。その後、移動中継ノード３は、ドナー基地局５−１によってサービングされるユーザー機器が測定を実行するのと同じようにして、必要とされる測定を実行する。測定が完了すると、ステップｓ４１１において、移動中継ノード３は測定報告を生成し、ステップｓ４１３において、「ＲＲＣ測定報告」メッセージにおいてドナー基地局５−１に送信する。この測定報告は、ステップｓ４０９において実行されたセル測定の結果を含む。
【００４３】
ドナー基地局５−１は、測定報告を受信した後に、ステップｓ４１４において、ステップｓ４０１において入手した、記憶された許可ドナー基地局のリスト１０に基づいて、測定報告をフィルタリングする。詳細には、ドナー基地局５−１は、許可ドナー基地局のリスト１０に含まれない基地局によって運用されるセルに関連する測定結果を破棄又は無視する。その後、ステップｓ４１５において、ドナー基地局５−１は、ステップｓ４１４において破棄又は無視されなかった測定結果に基づいて移動中継ノード３のためのハンドオーバー判断を行い、それゆえ、許可ドナー基地局のリスト１０上にあるドナー基地局（例えば、基地局５−２）に属する、ハンドオーバーのためのターゲットセルを選択する。それゆえ、この判断は、ドナーサービスを提供することができるターゲットセルを識別する情報に基づく。
【００４４】
最後に、ステップｓ４１７において、ドナー基地局５−１及び移動中継ノード３は、ターゲットセルに対するハンドオーバー手順を実行し、すなわち、移動中継ノード３は基地局５−１からデタッチし、ステップｓ４１５において選択されたセルに関連付けられる新たなドナー基地局（例えば、ドナー基地局５−２）に再アタッチする。
【００４５】
第２の実施形態
図５は、許可可能なドナー基地局のリスト１０を用いて、ハンドオーバー関連測定を構成及び実行し、報告するときに、通信システム１の構成要素によって実行される方法を示す別の例示的なタイミング図を示す。この実施形態では、許可ドナー基地局のリスト１０はドナー基地局５−１ではなく移動中継ノード３によって入手され、使用される。詳細には、移動中継ノード３はリスト１０を用いて、リスト１０に含まれる基地局によって運用される（それゆえ、ドナーサービスを提供することができる）セルに関する測定報告をドナー基地局５−１に提供し、ドナーサービスを提供することができない基地局によって運用されるセルに関する測定報告を提供しないように、許可ドナー基地局に対する被測定セルのフィルタリングを実行する。したがって、このようにして、サービングドナー基地局５−１は、ドナーサービスを提供することができない基地局によって運用されるセルに関する測定結果を受信せず、したがって、リスト１０に含まれず、それゆえ、ドナーサービスを提供することができない基地局のセルへのハンドオーバーをトリガーしない。それゆえ、これは、サービングドナー基地局５−１が、ドナーサービスを提供することができる基地局によって運用されるセルへのハンドオーバーをトリガーするのを確実にする。
【００４６】
図示されるように、この実施形態では、ステップｓ５０１において、移動中継ノード３は、例えば、ＯＡＭ１１から、移動中継ノード３が接続するのを許可され、その移動中継ノード３にドナー基地局サービスを提供することができる、許可ドナー基地局のリスト１０を入手し、そのメモリ３９に記憶する。１つの代替形態では、許可ドナー基地局のリスト１０は、ドナー基地局サービスを提供することができる通信システム１の全ての基地局を含むことができる。
【００４７】
ステップｓ５０３において、ドナー基地局５−１は（その中継ノードハンドオーバーモジュール６７及び送受信機回路５１を用いて）、「ＲＲＣ接続再構成」メッセージを生成し、移動中継ノード３に送信する。上記のように、ドナー基地局５−１は、このメッセージに、「ＭｅａｓＣｏｎｆｉｇ」情報要素（ＩＥ）を含み、その情報要素は測定の種類と、それらの測定が移動中継ノード３によって開始される必要がある条件とを規定する。詳細には、「ＭｅａｓＣｏｎｆｉｇ」ＩＥは、３ＧＰＰ  ＴＳ３６．３３１  ｖ１０．５．０標準規格において規定されるようなイベントタイプ（すなわち、イベントＡ１〜Ａ６、Ｂ１及びＢ２）のうちの少なくとも１つのための測定パラメーターを含む。移動中継ノード３は、これらの測定パラメーターを用いて、移動中継ノード３が現在のセルにおいて信号品質の劣化を受けているときに（例えば、移動中継ノード３がドナー基地局５−１から離れつつあることに起因する）、及び／又は他の基地局からの信号があらかじめ設定された閾値より良くなるときに、移動中継ノード３がハンドオーバーすることができる別の基地局５を見つけるために、他の基地局からの信号に関する測定を実施し始める時点を制御する。
【００４８】
ステップｓ５０５において、移動中継ノード３は、受信された「ＭｅａｓＣｏｎｆｉｇ」ＩＥに従ってその測定及び報告モジュール４７を構成し、その中に規定された条件が満たされたか否かを監視し始める。その後、ステップｓ５０７において、移動中継ノード３は、「ＲＲＣ接続再構成完了」メッセージを生成し、ドナー基地局５−１に送信することによって、測定再構成が成功したことを確認する。
【００４９】
測定及び報告モジュール４７が、「ＭｅａｓＣｏｎｆｉｇ」ＩＥにおいて規定される条件が満たされたと判断するとき、ステップｓ５０９において、移動中継ノード３は、「ＭｅａｓＣｏｎｆｉｇ」ＩＥにおいて識別されたセルに関するセル測定を実行する。測定が完了すると、移動中継ノード３は、ステップｓ５１１において、測定報告を生成する。
【００５０】
次に、ステップｓ５１２において、移動中継ノード３の測定及び報告モジュール４７は、ステップｓ５０１において得られた許可ドナー基地局の記憶されたリスト１０に基づいて測定報告内の測定結果をフィルタリングし、許可ドナー基地局のリスト１０上に含まれない基地局に関連付けられるセルに関する測定結果を除去する。ステップｓ５１３において、移動中継ノード３は、「ＲＲＣ測定報告」メッセージを生成し、ドナー基地局５−１に送信し、このメッセージに、フィルタリングされた測定結果を含めて、それにより、許可ドナー基地局のリスト１０にある基地局に関連付けられるセルに関する測定結果が現在サービングしているドナー基地局５−１に報告されるが、リスト１０に含まれない他の基地局に関する測定結果が報告されないようにする。
【００５１】
ドナー基地局５−１が移動中継ノード３から測定報告を受信した後に、ドナー基地局５−１（例えば、その中継ノードハンドオーバーモジュール６７）は、ステップｓ５１５において、移動中継ノード３がハンドオーバーすべきターゲットセルとして測定報告に含まれるセルのうちの１つを選択することによって、移動中継ノード３に関するハンドオーバー判断を行う。測定報告は、許可ドナー基地局のリスト１０上にあるドナー基地局に属するセルを含み、ドナーサービスを提供しない基地局に属するセルを含まないので、現在サービングしているドナー基地局５−１は、移動中継ノード３がハンドオーバーに成功することができるターゲットセルを選択することになる。それゆえ、この判断は、ドナーサービスを提供することができるターゲットセルを識別する情報に基づく。
【００５２】
最後に、ステップｓ５１７において、ドナー基地局５−１及び移動中継ノード３は、ターゲットセルに対するハンドオーバー手順を実行し、すなわち、移動中継ノード３は基地局５−１からデタッチし、ステップｓ５１５において選択されたセルに関連付けられる新たなドナー基地局（例えば、ドナー基地局５−２）に再アタッチする。
【００５３】
経路に基づくハンドオーバートリガー処理
第３の実施形態
図６は、経路情報を用いて、ハンドオーバー関連測定を構成及び実行し、報告するときに、通信システム１の構成要素によって実行される方法を示す例示的なタイミング図を示す。
【００５４】
この実施形態では、通信システム１によってカバーされるエリア内の移動中継ノード３（例えば、所定の経路に沿って進行している列車上に取り付けられる中継ノード）の計画された経路に関する情報を考慮に入れることによって、移動中継ノード３の地理的位置が測定され、報告される。この場合、許可ドナー基地局のリスト１０の代わりに（又はそれに加えて）、経路情報を用いて、移動中継ノード３のための関連するハンドオーバー候補ではないセルを破棄又は無視する。
【００５５】
最初に、ステップｓ６０１において、移動中継ノード３は、例えば、ＯＡＭエンティティ１１から、ＭＲＮ特有経路情報（地理的座標、その経路に沿ったドナー基地局のリスト、現在のセル及び／又は場所による次の許可ＤｅＮＢセル等）を入手し、そのメモリ３９に記憶する。例えば、移動中継ノード３はこの経路情報を起動時にダウンロードすることができる。そのような経路情報は、許可ドナー基地局のＲＮのリスト１０とともに含まれる場合があるか、又は別に与えられる場合がある。
【００５６】
次に、ステップｓ６０３において、ドナー基地局５−１は「ＲＲＣ接続再構成」メッセージを生成し（すなわち、その中継ノードハンドオーバーモジュール６７を用いる）、移動中継ノード３に送信する（すなわち、その通信制御モジュール６３及び送受信機回路５１を用いる）。ドナー基地局５−１は、このメッセージに、「ＭｅａｓＣｏｎｆｉｇ」ＩＥを含めて、この場合、そのＩＥは、移動中継ノード３のための場所に基づくイベントを構成する。詳細には、「ＭｅａｓＣｏｎｆｉｇ」ＩＥは、移動中継ノード３に対して、位置決め測定及び報告をいつ、いかに実行するかを規定する条件を含む。その条件は、例えば、移動中継ノードの現在の地理的場所による場合がある（例えば、移動中継ノード３が現在のドナー基地局５−１から離れたか否かを監視する、移動中継ノード３が隣接基地局の規定された付近に入ったか否かを監視する等）。
【００５７】
好ましくは、ドナー基地局５−１は、「位置測定」イベント（「場所に基づく要ＲＮハンドオーバー」、又は「イベントＡ２」等）を用いてこれらの条件を構成し、ＲＲＣシグナリングに含まれる情報要素において、「位置測定」イベントを移動中継ノード３に送信する。「位置測定」イベントは、必要とされる、又は好ましい位置決め方法の詳細を規定することもでき、最低限の、位置特定精度、使用される位置決め技法のタイプ（例えば、Ａ−ＧＰＳ）等を規定することもできる。
【００５８】
ステップｓ６０５において、移動中継ノード３は、その位置決めモジュール４８を、受信された「位置測定」イベントに従って位置決め測定を実行するように構成し、その中に定義された条件が満たされたか否かを監視し始める。次に、ステップｓ６０７において、移動中継ノード３は、「ＲＲＣ接続再構成完了」メッセージを生成し、ドナー基地局５−１に送信することによって、その測定再構成が成功したことを確認する。
【００５９】
その後、ステップｓ６０９において、位置決めモジュール４８は、例えば、位置決め測定等によって、移動中継ノード３の地理的場所を得る。このステップは、受信された「ＭｅａｓＣｏｎｆｉｇ」ＩＥにおいて定義されるように、一度だけ、又は連続して、又は定期的に実行することができる。
【００６０】
ステップＳ６１０において、測定及び報告モジュール４７は、移動中継ノード３の現在の位置を、構成されたトリガーと比較し、構成された条件が満たされた場合には、ステップｓ６１１に進み、測定報告を生成する。測定報告において、測定及び報告モジュール４７は、測定イベントをトリガーした（候補ＤｅＮＢの）ターゲットセル（例えば、ＭＲＮ現在の位置をＭＲＮ特有経路情報と比較することによって選択されたセル）、及びオプションで任意の他の許可されるターゲットセルも識別する。
【００６１】
次に、ステップｓ６１３において、移動中継ノード３は、「ＲＲＣ測定報告」メッセージを生成し、ドナー基地局５−１に送信し、このメッセージに、測定の結果と、移動中継ノード３がハンドオーバーすることができる次のドナー対応基地局のセル（及びドナー対応基地局の任意の更なるオプションのセル）の識別情報とを含む。
【００６２】
ステップｓ６１５において、ドナー基地局５−１の中継ノードハンドオーバーモジュール６７は、ステップｓ６１３において受信された情報を用いて、ハンドオーバー判断を行い、移動中継ノード３のために、ステップｓ６１３において受信されたメッセージ内で識別されたターゲットセル（例えば、基地局５−２のセル２）を選択する。それゆえ、この判断は、ドナーサービスを提供することができるターゲットセルを識別する情報に基づく。移動中継ノード３によって指示されるセルは、許可可能なドナー基地局のリスト１０上の基地局（複数の場合もある）に属し、この基地局（複数の場合もある）は、構成されたハンドオーバー測定判定基準も満たすので、ドナーサービスを提供することができない基地局のセルにハンドオーバーを試みることに起因するハンドオーバー失敗は実効的に避けられる。
【００６３】
最後に、ステップｓ６１７において、ドナー基地局５−１及び移動中継ノード３は、ターゲットセルに対するハンドオーバー手順を実行し、すなわち、移動中継ノード３は基地局５−１からデタッチし、ステップｓ６１５において選択されたセルに関連付けられる新たなドナー基地局（例えば、ドナー基地局５−２）に再アタッチする。
【００６４】
この例では、移動中継ノード３は、ドナー基地局５−１によって与えられる判定基準に従って、自らの場所と所定の経路情報とを比較した後にハンドオーバー手順をトリガーする。それゆえ、移動中継ノード３は、位置特定計算のみを実行し（又は任意の適切なやり方で自らの場所を入手し）、必要とされる全体の測定回数を有益に削減し、それゆえ、ハンドオーバー遅延を最小化する。したがって、移動中継ノードの現在の場所があらかじめ規定された場所（又はエリア）と一致するとき、移動中継ノード３は、移動中継ノードの既知の経路を用いて選択された次のドナー基地局にハンドオーバーする。
【００６５】
しかしながら、以下の図を参照しながら詳述されるように、移動中継ノード３は、そのサービングセルのみを測定することによって、測定回数を削減することもできる。
【００６６】
第４の実施形態
図７は、サービングセルの経路情報及び測定を用いて、ハンドオーバー関連測定を構成及び実行し、報告するときに、通信システム１の構成要素によって実行される方法を示す例示的なタイミング図を示す。
【００６７】
先行する実施形態と同様に、移動中継ノード３は、ドナー基地局５−１への報告において、通信システム１によってカバーされるエリア内の移動中継ノード３の計画された経路に関する情報を考慮に入れる。しかしながら、この場合、移動中継ノード３は、サービングセルの測定を実行し、サービングセルの測定が、ハンドオーバーが必要であることを指示するときに、経路情報を用いてハンドオーバー候補セル（複数の場合もある）を選択する。
【００６８】
最初に、ステップｓ７０１において、移動中継ノード３は、上記のステップｓ６０１を参照しながら説明したように、ＭＲＮ特有経路情報（地理的座標、経路に沿ったドナー対応基地局のリスト、現在のセル及び／又は場所に応じて次に許可されるＤｅＮＢセル等）を入手し、そのメモリ３９に記憶する。
【００６９】
次に、ステップｓ７０３において、ドナー基地局５−１は、ステップｓ６０３の場合と同じようにして、「ＲＲＣ接続再構成」メッセージを生成し、移動中継ノード３に送信する。しかしながら、この場合、ドナー基地局５−１は、移動中継ノード、例えば、列車に取り付けられた中継ノードが既知の経路に従い、それゆえ、次のターゲットＤｅＮＢは経路情報に基づいてあらかじめ決定できるという事実に頼る。それゆえ、ドナー基地局５−１は、「ＲＲＣ接続再構成」メッセージ内に「ＭｅａｓＣｏｎｆｉｇ」ＩＥを含めて、そのＩＥは、移動中継ノード３に関する、サービングセルに基づく測定イベントを構成する。このメッセージは、移動中継ノード３に、現在のサービングセルに関してのみ、測定及び報告を実行するように要求する。そのメッセージは、ＲＲＣシグナリング内の情報要素に含まれる「サービングセル測定」イベント（「サービングセルが閾値未満であることに基づく要ＲＮハンドオーバー」又は「イベントＡ２」等）を用いて、中継ノードの測定及び報告モジュール４７を構成する。
【００７０】
それゆえ、ステップｓ７０５において、移動中継ノード３は、受信された「サービングセル測定」イベントに従って、サービングセル測定を実行するようにその測定及び報告モジュール４７を構成し、その中に定義された条件が満たされたか否かを監視し始める。次に、ステップｓ７０７において、移動中継ノード３は、「ＲＲＣ接続再構成完了」メッセージを生成し、ドナー基地局５−１に送信することによって、測定再構成が成功したことを確認する。
【００７１】
その後、ステップｓ７０９において、測定及び報告モジュール４７は、サービングセルの測定を実行する。このステップは、受信された「ＭｅａｓＣｏｎｆｉｇ」ＩＥの規定に従って、一度だけでも、連続してでも、定期的にでも実行することができる。
【００７２】
ステップｓ７１０において、測定及び報告モジュール４７は、サービングセル測定の結果を構成されたトリガーと比較し、構成された条件が満たされた場合には、ステップｓ７１１に進み、測定報告を生成する。その測定報告において、測定及び報告モジュール４７は、現在のセルとＭＲＮ特有経路情報との比較に基づいて、好ましいターゲットセル（及びオプションで任意の他の許可されるターゲットセル）も識別する。
【００７３】
次に、ステップｓ７１３において、移動中継ノード３は、「ＲＲＣ測定報告」メッセージを生成し、ドナー基地局５−１に送信し、このメッセージに、測定の結果と、移動中継ノード３がハンドオーバーすることができる次のドナー対応基地局のセル（及びドナー対応基地局の任意の更なるオプションのセル）の識別情報とを含める。
【００７４】
ステップｓ７１５において、（ドナー基地局５−１の）中継ノードハンドオーバーモジュール６７は、ステップｓ７１３において受信された情報を用いて、ハンドオーバー判断を行い、移動中継ノード３のために、ステップｓ７１３において受信されたメッセージ内で識別されるターゲットセル（例えば、基地局５−２のセル２）を選択する。それゆえ、この判断は実効的には、ドナーサービスを提供することができるターゲットセルを識別する情報に基づく。
【００７５】
最後に、ステップｓ７１７において、ドナー基地局５−１及び移動中継ノード３は、ターゲットセルに対するハンドオーバー手順を実行し、すなわち、移動中継ノード３は基地局５−１からデタッチし、ステップｓ７１５において選択されたセルに関連付けられる新たなドナー基地局（例えば、ドナー基地局５−２）に再アタッチする。
【００７６】
この手順は、現在のセルの信号強度があらかじめ定義された閾値未満に降下するときに、移動中継ノード３が、移動中継ノードの既知の経路に基づいて選択された次のドナー基地局にハンドオーバーするのを確実にする。移動中継ノード３は、いかなる候補ドナー基地局も測定する必要はない。実行される測定回数が少なくなるので、ハンドオーバー遅延を著しく短縮することができる。
【００７７】
移動中継ノードの経路及び移動について入手可能である情報に応じて、移動中継ノード３がターゲットＤｅＮＢセルを識別する幾つかのやり方があることは理解されよう。
【００７８】
例えば、移動中継ノード３は、サービングセル情報と、以前のサービングセル（又は以前のドナー基地局）の履歴とを用いることができる。セル／ＤｅＮＢ履歴によって、ＭＲＮ３は、次のドナーセルを識別するために、現在のセル／ＤｅＮＢをセル／ＤｅＮＢの所定の順序と比較できるようになる。
【００７９】
移動中継ノード３は、その位置決めモジュール４８を用いて得られた位置特定情報（例えば、地理的位置、速度、進行方向等）と組み合わせてサービングセル情報を用いることもできる。この場合、ＭＲＮは、次のドナーセルを識別するために、現在のセル／ＤｅＮＢをセル／ＤｅＮＢの所定の順序と（位置特定情報とともに）比較することができる。
【００８０】
移動中継ノードによる自律的ハンドオーバートリガー処理
第５の実施形態
図８は、移動中継ノード３が、その測定及び報告モジュール４７を、ハンドオーバー関連測定及び報告を実行するように自律的に構成する場合に、通信システム１の構成要素によって実行される方法を示す例示的なタイミング図を示す。
【００８１】
図６及び図７を参照しながら説明された手順に概ね従うこの例では、構成された条件が満たされるとき、移動中継ノード３は、「要ＲＮハンドオーバー」ＲＲＣメッセージを用いてハンドオーバーを自律的に要求する。
【００８２】
最初に、ステップｓ８０１において、移動中継ノード３は、上記のステップｓ６０１を参照しながら説明されたように、ＭＲＮ特有経路情報（地理的座標、次の許可ＤｅＮＢセル等）を入手し、そのメモリ３９に記憶する。ステップｓ８０３において、移動中継ノード３は、ドナー基地局５−１にアタッチする。しかしながら、この場合、ドナー基地局５−１は、移動中継ノード３に関する、位置又はサービングセルに基づく測定イベントを構成する必要はない。
【００８３】
代わりに、ステップｓ８０５において、移動中継ノード３は、その測定及び報告モジュール４７を、サービングセル測定を実行するように自律的に構成し（及び／又はその位置決めモジュール４８を位置決め測定を実行するように構成し）、ハンドオーバー条件が満たされたか否かを監視し始める。次に、ステップｓ８０９において、測定及び報告モジュール４７は、サービングセルの測定を実行する（及び／又は位置決めモジュール４８は、位置決め手順を実行する）。
【００８４】
ステップｓ８１０において、測定及び報告モジュール４７は、サービングセル測定／位置決めの結果を、構成されたトリガーと比較し、構成された条件が満たされた場合には、ステップｓ８１１に進み、測定報告を生成する。その測定報告において、測定及び報告モジュール４７は、現在のセルとＭＲＮ特有経路情報との比較に基づいて、好ましいターゲットセル（及びオプションで任意の他の許可されるターゲットセル）も識別する。
【００８５】
次に、ステップｓ８１３において、移動中継ノード３は、「ＲＲＣ測定報告」メッセージを生成し、ドナー基地局５−１に送信し、このメッセージに、移動中継ノード３がハンドオーバーすることができる次のドナー対応基地局のセル（及び任意の更なるオプションのセル）の識別情報を含める。
【００８６】
ステップｓ８１５において、（ドナー基地局５−１の）中継ノードハンドオーバーモジュール６７は、ステップｓ８１３において受信された情報を用いて、ハンドオーバー判断を行い、移動中継ノード３のために、ターゲットセル（例えば、基地局５−２のセル２）を選択する。それゆえ、この判断は、ドナーサービスを提供することができるターゲットセルを識別する情報に基づく。
【００８７】
最後に、ステップｓ８１７において、ドナー基地局５−１及び移動中継ノード３は、ターゲットセルに対するハンドオーバー手順を実行し、すなわち、移動中継ノード３は基地局５−１からデタッチし、ステップｓ８１５において選択されたセルに関連付けられる新たなドナー基地局（例えば、ドナー基地局５−２）に再アタッチする。
【００８８】
この例は、移動中継ノード３をサービングするドナー基地局５−１によって必要とされる処理及びシグナリングを有益に削減する。有利には、この場合、ドナー基地局５−１は、アタッチされた移動中継ノード３のモビリティを認識している必要はなく、それゆえ、ハンドオーバー関連測定を構成する必要も全くない。
【００８９】
近接指示による自律的ハンドオーバー
第６の実施形態
図９は、近接指示手順を用いて通信システム１の構成要素によって実行される方法を示す例示的なタイミング図を示す。
【００９０】
３ＧＰＰリリース１０では、ＴＳ３６．３３１標準規格において「近接指示」手順が定義され、ＵＥが、ＵＥがそのメンバーであるあらかじめ定義されたグループ（例えば、クローズド加入者グループ（ＣＳＧ））を有する１つ又は複数のセルの付近に入りつつあるか、又はその付近から離れつつあることを指示するために用いられる。近接の検出は、ＴＳ３６．３０４において定義されるような自律探索機能に基づき、その内容は引用することにより本明細書の一部をなす。
【００９１】
この例では、近接指示機能は、ＭＲＮで使用するために、すなわち、移動中継ノード３が、ドナーサービスを提供することができる基地局の付近に入りつつあるか、又はその付近から離れつつあることを指示するために拡張される。
【００９２】
最初に、ステップｓ９０１において、ドナー基地局５−１の中継ノードハンドオーバーモジュール６７が、移動中継ノード３に関する近接指示パラメーターを構成する。これは、例えば、起動中に、又はドナー基地局５−１への移動中継ノード３のアタッチメント中に実行される場合がある。
【００９３】
それゆえ、ステップｓ９０３において、サービングドナー基地局５−１は、「ＲＲＣ接続再構成」メッセージを生成し、移動中継ノード３に送信し、そのメッセージにおいて、近接指示構成を含む「近接指示」ＩＥ（例えば、「ｐｒｏｘｉｍｉｔｙＩｎｄｉｃａｔｉｏｎＥＵＴＲＡ−ＲＮ」ＩＥ）を含める。このメッセージは、移動中継ノード３に、ＭＲＮがそのメンバーである「クローズド加入者グループ」を有する他の基地局及び／又はそのセルを探索するように実効的に指示する。ＭＲＮがそのメンバーである「ＣＳＧ」を有するセルは、ドナー対応基地局によって運用されるドナー対応セルに限定される。その探索は、ＭＲＮがそのメンバーであるＣＧＳを有するセルを識別する（それゆえ、ドナーサービスを提供することができる基地局によって運用されるセルを識別する）情報を含む、ＭＲＮに記憶されたリストに基づく。このようにして、ドナーサービスを提供することができる基地局は、移動中継ノード３が属する「クローズド加入者グループ」を有するものとして扱われる。
【００９４】
ステップｓ９０５において、移動中継ノード３は、受信された近接指示構成をそのメモリ３９に記憶し、その測定及び報告モジュール４７を用いて、その中に定義された条件が満たされたか否かを監視し始める。
【００９５】
次に、ステップｓ９０７において、移動中継ノード３は、「ＲＲＣ接続再構成完了」メッセージを生成し、ドナー基地局５−１に送信することによって、再構成が成功したことを確認する。
【００９６】
次に、ステップｓ９０９において、移動中継ノード３は、ドナー基地局セルを自律的に探索する。探索機構は、移動中継ノードの現在の場所（例えば、位置決めモジュール４８を用いて得られる）又はセル測定（例えば、測定及び報告モジュール４７を用いて得られる）に基づくことができ、許可されたＤｅＮＢセルだけに（許可ドナー基地局のリスト１０が入手可能である場合）及び／又は移動中継ノード３の予想経路に沿って位置するドナー基地局に限定することができる。このステップは、受信された「ｐｒｏｘｉｍｉｔｙＩｎｄｉｃａｔｉｏｎＥＵＴＲＡ−ＲＮ」ＩＥにおいて定義されるように、一度だけ、又は連続して、又は定期的に実行することができる。
【００９７】
ステップｓ９１１において、移動中継ノード３は、構成された近接指示判定基準と一致する候補セル、すなわち、ＭＲＮがそのメンバーであり、それゆえ、ドナーサービスが利用可能であるセルを検出する。
【００９８】
それゆえ、ステップｓ９１３において、移動中継ノード３は、「ＲＲＣ近接指示」メッセージを生成し、ドナー基地局５−１に送信し、そのメッセージに（例えば、情報要素に）、移動中継ノード３がハンドオーバーすることができる検出されたセル（及び任意の更なるセル）の識別情報（例えば、物理セル識別子（ＰＣＩ））を含める。
【００９９】
オプションでは、ステップｓ９１４において、ドナー基地局５−１は（その中継ノードハンドオーバーモジュール６７を用いて）、そのハンドオーバー判断を更に支援するために、移動中継ノード３に、更なる測定（例えば、その測定及び報告モジュール４７及び／又は位置決めモジュール４８を用いる）を実行するように要求することができる。しかしながら、中継ノードハンドオーバーモジュール６７は、近接指示だけに基づいてハンドオーバーをトリガーすることができる。
【０１００】
ステップｓ９１５において、中継ノードハンドオーバーモジュール６７は、ステップｓ９１３（及び／又はオプションのステップｓ９１４）において受信された情報を用いて、移動中継ノード３のために、ハンドオーバー判断を行い、近接指示において指示されたターゲットセルを、それゆえ、ドナー対応基地局のドナー対応セル（例えば、基地局５−２のセル２）を選択する。
【０１０１】
最後に、ステップｓ９１７において、ドナー基地局５−１及び移動中継ノード３は、ターゲットセルに対するハンドオーバー手順を実行し、すなわち、移動中継ノード３は、基地局５−１からデタッチし、ステップｓ９１５において選択されたセルに関連付けられる新たなドナー基地局（例えば、ドナー基地局５−２）に再アタッチする。
【０１０２】
ドナー基地局によって保持される経路情報
第７の実施形態
図１０は、経路情報及び位置測定に基づいてハンドオーバーを実行するときの、通信システム１の構成要素によって実行される方法を示す例示的なタイミング図を示す。
【０１０３】
この例では、ドナー基地局５−１は、ＭＲＮ特有経路情報を入手し、移動中継ノード３の現在の場所を監視する。ドナー基地局５−１が、移動中継ノード３がＭＲＮ特有経路情報内のハンドオーバー場所として識別される場所（又はエリア）に達したと判断するとき、ドナー基地局５−１は、ターゲットセルに向かって、中継ノード３に関するハンドオーバーをトリガーする。
【０１０４】
最初に、ステップｓ１０１において、移動中継ノード３及びドナー基地局５−１は接続を確立し、ステップｓ１０３において、ドナー基地局５−１は（例えば、その運用保守モジュール６９を用いて）、ＭＲＮ特有経路情報を入手し、そのメモリ５９に記憶する。経路情報は所定のＭＲＮハンドオーバー情報（地理的座標、次の許可ＭＲＮセル等）を含む。
【０１０５】
移動中継ノード、例えば、列車に取り付けられる中継ノードは多くの場合に既知の経路を使用し、中継ノードハンドオーバーモジュール６７は、上記で得られた経路情報と、移動中継ノード３の現在の地理的場所とを用いて、最適なハンドオーバー場所及びターゲットＤｅＮＢセルを判断することができる。
【０１０６】
それゆえ、ステップｓ１０５において、位置決めモジュール６８は、移動中継ノード３に関連する位置特定情報（例えば、地理的位置、速度、進行方向等）を得る。位置特定情報は、例えば、３ＧＰＰ  ＴＳ２３．２７１において定義されるような位置特定要求サービス（ＬＣＳ）を用いて得ることができ、その内容は引用することにより本明細書の一部をなす。オプションで、ステップｓ１０５は、図６のステップｓ６０３〜ｓ６１３を参照しながら上記で説明した手順に概ね従うことができる。
【０１０７】
その後、ステップｓ１０７において、中継ノードハンドオーバーモジュール６７は、ハンドオーバー判断を行い、移動中継ノード３のためのターゲットセルを選択する。このステップにおいて、中継ノードハンドオーバーモジュール６７は、得られた位置特定情報、ドナーサービスを提供することができるセル／基地局を識別する情報、及び所定の経路情報を用いて、ＭＲＮがそのセルカバレッジに入るときに、移動中継ノード３に関するドナー対応セルへのハンドオーバーをトリガーする。
【０１０８】
最後に、ステップｓ１０９において、ドナー基地局５−１及び移動中継ノード３は、ハンドオーバー手順を実行し、すなわち、移動中継ノード３は基地局５−１からデタッチし、ステップｓ１０７において選択された新たなドナー基地局に再アタッチする。
【０１０９】
この方法において、移動中継ノード３は、経路情報を入手し、処理する必要はない。場所計算のみが必要とされる。これは、移動中継ノード３の複雑さを都合良く緩和し、必要とされる測定回数も削減し、それにより、ハンドオーバー遅延を最小化する。
【０１１０】
第８の実施形態
図１１は、経路情報及びサービングセルの測定を用いて、ハンドオーバー関連測定を構成及び実行し、報告するときに、通信システム１の構成要素によって実行される方法を示す例示的なタイミング図を示す。
【０１１１】
この例において、ドナー基地局５−１は、図７を参照しながら上記で説明された実施形態と同じように、移動中継ノード３に関するサービングセル測定を構成する。しかしながら、この実施形態では、ドナー基地局５−１がＭＲＮ特有経路情報を入手するので、移動中継ノード３は、ハンドオーバー候補セルを指示する必要はない。
【０１１２】
最初に、ドナー基地局５−１は、ステップｓ１１１において、ＭＲＮ特有経路情報を（例えば、ＯＡＭ１１から）得る。経路情報は、所定のＭＲＮハンドオーバー情報（地理的座標、その経路に沿ったドナー対応基地局のリスト、ＭＲＮが使用するように構成される一連のセル等）を含む。
【０１１３】
この方法のステップｓ１１３〜ｓ１２１はそれぞれ、図７のステップｓ７０３〜ｓ７１１を参照しながら説明された手順に概ね従う。しかしながら、ステップｓ１２３において、測定及び報告モジュール４７は、サービングセル測定の結果のみを報告する。
【０１１４】
ステップｓ１２５において、中継ノードハンドオーバーモジュール６７は、ステップｓ１２３において受信された測定結果と、ステップｓ１１１において得られたＭＲＮ特有経路情報とを用いて、移動中継ノード３に関するハンドオーバー判断を行い、ターゲットセル（例えば、基地局５−２のセル２）を選択する。
【０１１５】
例えば、中継ノードハンドオーバーモジュール６７は、ターゲットセルを選択するときに、サービングセル情報と、以前のサービングセル（又は以前のドナー基地局）の履歴とを用いることができる。セル／ＤｅＮＢ履歴によって、中継ノードハンドオーバーモジュール６７は、移動中継ノード３に関して、現在のセル／ＤｅＮＢをセル／ＤｅＮＢの所定の順序と比較できるようになる。
【０１１６】
ターゲットセルを選択するとき、中継ノードハンドオーバーモジュール６７は、位置決めモジュール６８を介して得られた位置特定情報（例えば、地理的座標、速度、進行方向等）と組み合わせてサービングセル情報を用いることもできる。この場合、中継ノードハンドオーバーモジュール６７は、次のドナーセルを識別するために、現在のセル／ＤｅＮＢをセル／ＤｅＮＢの所定の順序と（位置特定情報とともに）比較することができる。それゆえ、ステップｓ１１９〜ｓ１２３に加えて（又はその代わりに）、ドナー基地局５−１及び移動中継ノード３は、ステップｓ１０５において上記で説明されたような位置決め手順を実行することができる。
【０１１７】
いずれの場合でも、ステップｓ１２５におけるハンドオーバー判断は、ドナーサービスを提供することができるターゲットセルを識別する情報に基づく。移動中継ノード３のためのターゲットドナー対応セルが選択された後に、サービングドナー基地局５−１及び移動中継ノード３は、ステップｓ１２７において、ハンドオーバー手順を実行する。
【０１１８】
この方法は、現在のセルの信号強度があらかじめ定義された閾値未満に降下するときに、移動中継ノード３が、移動中継ノードの既知の経路に基づいて選択された次のドナー可能基地局にハンドオーバーするのを確実にする。この場合、移動中継ノード３は、経路情報を入手し、処理する必要はないので、移動中継ノード３の複雑さが都合良く緩和する。
【０１１９】
変更形態及び代替形態
詳細な実施形態が上記で説明された。当業者が理解するように、上記の実施形態において具現される本発明から依然として利益を享受しながら、上記の実施形態に対する幾つかの変更形態及び代替形態を実施することができる。
【０１２０】
図４において、中継ノードハンドオーバーモジュールが、移動中継ノードの測定結果を受信した後にセルのフィルタリングを実行することが示されたが、中継ノードハンドオーバーモジュールは、移動中継ノードに関する測定を構成する前に、すなわち、ドナー基地局がステップｓ４０３において「ＲＲＣ接続再構成」メッセージを生成し、送信する前に、セルをフィルタリングすることができる。この場合、許可ドナー基地局のリスト上の基地局に属するセルのみが、測定するために構成されることになるので、移動中継ノードの測定及び報告モジュールは、適切なハンドオーバー候補でないセルを測定又は報告する必要はない。それゆえ、ステップｓ４１４は、省くことができる（すなわち、中継ノードハンドオーバーモジュールは、ステップｓ４０３の前に類似のフィルタリングを実行する）。これは、測定及び報告モジュールが実行する必要がある測定回数が少なく、移動中継ノードのための有効なハンドオーバー候補を表すドナー基地局に対してしか実行する必要がないので、更なる利点を都合良く提供する。この変形形態は、ドナー基地局と移動中継ノードに対して必要とされるシグナリングを著しく削減する。
【０１２１】
それゆえ、図１に示される例示的なシステムでは、ドナー基地局は、移動中継ノードに、ハンドオーバートリガー処理のためにドナー基地局５−２のみを測定するように指示することができる。これは、移動中継ノードが、（この移動中継ノードに対して）ドナー基地局サービスを提供しない、基地局５−３のような他の隣接基地局を測定するのを（正：node from measuring）都合良く防ぐ。それゆえ、セル３（基地局５−３によって運用される）の信号品質がセル２（基地局５−２によって運用される）より良好である可能性がある場合であっても、基地局５−３はこのＭＲＮがハンドオーバーするのに適していない候補であるので、測定及び報告モジュールによって不要な測定及び報告が実行される必要はない。
【０１２２】
図５において、測定結果が得られた後に（すなわち、ステップｓ５１２において）、移動中継ノードが候補セルのフィルタリングを実行することが示されたが、移動中継ノードは、測定を実行する前であっても候補セルをフィルタリングできることは理解されよう。この場合、許可ドナー基地局のリスト上にある基地局に属するセルのみが測定されることになるので、測定及び報告モジュールは、適切なハンドオーバー候補ではないセルを測定又は報告しない。それゆえ、ステップＳ５１２は省くことができる（すなわち、移動中継ノードは、ステップｓ５０９の前に同様のフィルタリングを実行する）。
【０１２３】
図５に示されるように、許可ドナー基地局のリストは、移動中継ノード内で構成され、記憶することができる。好ましくは、移動中継ノードは、ＯＡＭエンティティから、又は基地局からそのリストを得る。この場合、ドナー基地局によって保持されるリストの代わりに、又はそれに加えて、移動中継ノードは、自らのリストに基づいてセル測定を（ステップｓ５１２において）フィルタリングすることができる。例えば、移動中継ノード（すなわち、その測定及び報告モジュール）は、受信された構成パラメーターが異なる１組の基地局の測定を規定する場合であっても、許可ドナー基地局のリスト内に含まれる基地局のみに関するセル測定を実行することができる。オプションでは、移動中継ノードは、ドナー基地局によって規定された全ての基地局に関するセル測定を実行することができるが、移動中継ノードの許可ドナー基地局のリスト上にある基地局に属するセルのみを報告する。
【０１２４】
この代替形態の更なる変更形態によれば、ドナー基地局は、ネットワーク特有のドナー基地局リストを記憶することができ、移動中継ノードは、移動中継ノード特有の許可基地局リストを記憶することができ、そのリストは、ドナー基地局のリストとは異なっていてもよく、例えば、ドナー基地局のリストのサブセットとすることができる。それらのリストは、ＯＡＭエンティティを介して、又は基地局のうちの１つを介して（例えば、Ｘ２インターフェースを用いて、又はＲＲＣシグナリングを用いることによって）移動中継ノード及び／又は基地局内で構成され、記憶される場合がある。
【０１２５】
上記の説明において、ドナー基地局及び／又は移動中継ノードは、ＯＡＭエンティティから許可ドナー基地局のリストを得る。しかしながら、ドナー基地局は、別の基地局（例えば、同じ移動中継ノードをサービングしていた以前のドナー基地局）から、又はＸ２インターフェースを介して複数の基地局から、このリストを得ることができる。基地局がＸ２インターフェースを介してセル情報を交換するとき、それらの基地局は、セルごとの情報を伴う付加的な指示（例えば、「ＭＲＮハンドオーバー許可」ＩＥ）を含むことができる。その指示は、例えば、「Ｘ２設定要求」、「Ｘ２設定応答」及び「ＥＮＢ構成更新」メッセージのいずれか１つに含めることができる。この場合、最初に、各ドナー基地局は、例えば、ＯＡＭエンティティによって構成され、許可ドナー基地局のリストはその基地局のみからなる。しかしながら、他の基地局とＸ２メッセージを交換した後に、ドナー基地局は初期リストを拡張し、更なる許可ドナー基地局を追加し、それにより、経時的に、許可ドナー基地局の完全な最新のリストを生成することができる。
【０１２６】
代替的には、ドナー基地局及び／又は移動中継ノードは、ＲＲＣシグナリングを用いて、又は上記の代替形態の組み合わせを用いて、許可ドナー基地局のリストを得ることができる。
【０１２７】
上記の実施形態では、許可ドナー基地局のリストは、ネットワーク特有であるか、又は移動中継ノード特有であるかのいずれかであるように説明される。しかしながら、異なるタイプのリスト又はサブリスト、例えば、現在の地理的場所又は地理的場所の履歴に基づくリスト、時間パラメーターに基づくリスト、又はその任意の組み合わせを与えることもできることは理解されよう。例えば、許可ドナー基地局のリストは、国、都市又は移動中継ノードによって以前にとられた経路のような、所定の領域ごとのドナー基地局を含むことができる。さらに、許可ドナー基地局のリストは、例えば、移動中継ノードが位置する現在のセルに基づいて更に絞ることができる。この場合、許可ドナー基地局のリストは進行方向によって決めることができ、その場合、移動中継ノードは、隣接基地局、又は移動中継ノードによってとられることになる（又は以前にとられた）経路に沿って位置する基地局のみを測定又は報告する。この代替形態は、ハンドオーバー時にドナー基地局によって考慮されるべきセルを更に制限し、長い鉄道線路の場合にかなり大きくなるおそれがある、許可ドナー基地局のリストのサイズを削減する。
【０１２８】
特定の例では、１つのセル、すなわち、移動中継ノードに関する次のアタッチメント点であると予想される基地局に属するセルだけが、移動中継ノードによって測定され、及び／又は報告される。この代替形態の変形として、次のセルの代わりに、現在のセルだけが測定され、信号レベルが所定の閾値未満に降下するときに、移動中継ノードに関する次のアタッチメント点であると予想される基地局に属するセルに対して（例えば、記憶された経路情報に基づく）、ハンドオーバーがトリガーされる。この解決策の利点は、移動中継ノードが、隣接セルより確かに現在のセルを測定することができ、それゆえ、誤り及び遅延を起こす可能性が小さいことである。この測定は、新たなイベントタイプ、例えば、「サービングセルが閾値未満であることに基づく要ＲＮハンドオーバー」、又は既存のイベントタイプ（例えば、イベントＡ２）の変更として与えることができる。
【０１２９】
許可ドナー基地局のリストは、移動中継ノードの現在の速度に基づいて与えることもでき、それにより、相対的に小さな地理的エリア（相対的に短時間で横切ることができるエリア）をカバーするセルは、測定から除かれるか、又はハンドオーバー判断から除かれ、相対的に大きなセルが選択される。この代替形態は、移動中継ノードが頻繁にハンドオーバーするのを都合良く防ぐ。
【０１３０】
図６を参照しながら説明された実施形態では、ＭＲＮ特有経路情報が、移動中継ノードによってＯＡＭエンティティからダウンロードされると説明された。しかしながら、経路情報は、基地局のうちの１つから（又は１つを介して）、ダウンロードすることもできることは理解されよう。この場合、移動中継ノードは、経路情報を用いて、ドナー基地局（例えば、許可ドナー基地局のリストを既に考慮に入れている場合がある）によって構成される測定を絞り込む。このオプションは、ハンドオーバーターゲットセルの測定及び／又は報告及び／又は選択が許可ドナー基地局のリスト及び移動中継ノードによって得られた経路情報の両方を考慮に入れるように、図４及び図５を参照しながら説明されたリストに基づく実施形態のいずれかと都合良く組み合わせることができる。さらに、ＭＲＮ特有経路情報は、ドナー基地局によって得ることもでき、その後、ドナー基地局は、移動中継ノードの測定を構成するために、その経路情報を用いる。
【０１３１】
上記の実施形態において、移動電話に基づく電気通信システムが説明された。本出願において記述されるシグナリング技法が他の通信システムにおいても利用できることは当業者には理解されよう。他の通信ノード又はデバイスは、例えば、携帯情報端末、ラップトップコンピューター、ウェブブラウザー等のユーザーデバイスを含むことができる。移動通信デバイスのために上記の中継システムが用いられることは必須ではないことは当業者には理解されよう。そのシステムを用いて、移動通信デバイスとともに、又は移動通信デバイスの代わりに、１つ又は複数の固定コンピューティングデバイスを有するネットワークにおいて基地局のカバレッジを拡張することができる。
【０１３２】
上記の説明において、ドナー基地局及び移動中継ノードは、理解するのを容易にするために、幾つかの個別のモジュールを有するように説明されている。これらのモジュールは、或る特定の応用形態、例えば、既存のシステムを変更して本発明を実施した場合にこのようにして設けることができるが、他の応用形態、例えば、最初から本発明の特徴を念頭に置いて設計されたシステムでは、これらのモジュールは、オペレーティングシステム又はコード全体の中に組み込むことができるので、これらのモジュールは個別のエンティティとして区別できない場合がある。これらのモジュールは、ソフトウェア、ハードウェア、ファームウェア又はこれらの組み合わせにおいて実施することもできる。
【０１３３】
測定結果及び／又は近接指示及び／又はセル情報を含む、本明細書において記述されるシグナリングメッセージは、簡単である、実施するのが容易である、及び必要とされるメッセージの数を最小化するという観点から好都合であるが、この情報は、幾つかの異なるやり方のいずれかにおいて、例えば、複数のメッセージにおいて送信することもできる。さらに、上記のシグナリングメッセージを変更する代わりに、測定結果及び／又は近接指示及び／又はセル情報を含む全く新しいメッセージを生成することもできる。
【０１３４】
上述の例示の実施形態では、移動中継ノード及び基地局は、それぞれ送受信機回路を備える。通常、この回路は専用ハードウェア回路によって形成される。しかしながら、幾つかの実施形態では、送受信機回路の一部を、対応するコントローラーによって実行されるソフトウェアとして実装することができる。
【０１３５】
上記の実施形態では、複数のソフトウェアモジュールが説明された。当業者であれば理解するように、それらのソフトウェアモジュールは、コンパイル済みの形式又は未コンパイルの形式で与えることができ、コンピューターネットワークを介して信号として、又は記録媒体において基地局又は中継局に供給することができる。さらに、このソフトウェアの一部又は全部によって実行される機能は、１つ又は複数の専用のハードウェア回路を用いて実行することもできる。
【０１３６】
種々の他の変更が当業者には明らかであり、ここでは、これ以上詳しくは説明しない。
【０１３７】
以下は、現在提案されている３ＧＰＰ標準規格において本発明を実施することができる方法の詳細な記述である。種々の特徴が必須又は必要であるものとして説明されるが、これは、例えば、提案された３ＧＰＰ標準規格によって課せられる他の要件に起因して、その標準規格の場合にのみ当てはまる場合がある。それゆえ、これらの陳述は、本発明を多少なりとも限定すると解釈されるべきではない。
【０１３８】
序論
中継ノード（ＲＮ）は３ＧＰＰリリース１０において導入された［５］。ＲＮは基本的にはｅＮＢであり、そのバックホールは、ドナーｅＮＢ（ＤｅＮＢ）と呼ばれる、ＲＮをサービングするｅＮＢへの接続を介して無線で設けられる。
【０１３９】
３ＧＰＰリリース１０では、ＲＮは静止していると見なされ、すなわち、ＲＮのセル間ハンドオーバーはサポートされなかった。現在、３ＧＰＰリリース１１の検討事項を通して、移動中継が検討されている［１］。ＲＮがモバイルである場合には、ＲＮのセル間ハンドオーバーが必要とされることになる。
【０１４０】
本文書の目的は、移動中継ノード（ＭＲＮ）のセル間ハンドオーバーのためのトリガーを論じることである。
【０１４１】
検討
問題
ＤｅＮＢセル間のハンドオーバーはいかにトリガーされることになるか。
【０１４２】
ＵＥと同じ方法、すなわち、隣接セル測定を用いることは、以下のことから、適切でない場合がある。
−移動中継３ＧＰＰリリース１１検討事項は、具体的には、高速列車のシナリオ、例えば、ＲＮを列車車両に取り付けることに重点を置いている。
−これは、ＭＲＮが、測定精度が低い非常に高速の環境において動作している場合があることを意味する。
−測定は実行するのに時間を要し、高速環境ではいかなる時間遅延も重大である場合がある。
−列車に取り付けられたＭＲＮは既知の経路を用いる。次のターゲットＤｅＮＢセル、及び適切なハンドオーバー場所をあらかじめ知ることができるとき、全てのセルを測定する必要はない。
−既存のＵＥ測定は、ＤｅＮＢセルと、非ＤｅＮＢセルとを区別しない。ＭＲＮによって非ＤｅＮＢセルに関する測定イベントがトリガーされる場合には、その測定イベントは、ＭＲＮハンドオーバーにとって的外れである場合がある。
○例えば、イベントＡ５（Ｐセルが閾値１より悪くなり、隣接セルが閾値２より良好になる）は、任意の隣接セルによってトリガーされる場合がある。隣接セルが許可されたＤｅＮＢセルでない場合には、そのイベントは、ＭＲＮハンドオーバーにとって有用なトリガーではない。
【０１４３】
ＭＲＮのための任意のハンドオーバー機構は、ハンドオーバー失敗が増える可能性があることに起因して（すなわち、ＭＲＮが高速であること、及び幾つかの隣接セルが許可されないＤｅＮＢセルであることに起因して）、かつハンドオーバー失敗がもたらす結果、すなわち、潜在的に多数のＵＥが影響を及ぼされることに起因して、ロバストでなければならない。
【０１４４】
考えられる解決策
本文書では、以下の考えられる解決策が検討される。
【０１４５】
解決策１：ＭＲＮがＵＥと同じ周波数内／周波数間測定を実行する。
−方法１．１：ＤｅＮＢが許可ＤｅＮＢセルリストに対して、報告されたセルのフィルタリングを実行しなければならない。
○方法１．１．１：許可ＤｅＮＢセルリストを、Ｏ＆Ｍを介してＤｅＮＢが入手できる。
○方法１．１．２：許可ＤｅＮＢセルリストを、Ｘ２を介してＤｅＮＢが入手できる。
【０１４６】
解決策２：ＭＲＮがＵＥと同じ周波数内／周波数間測定を実行するが、リレー特有のいくつかの拡張を伴う。
−方法２．１：ＭＲＮだけが、許可ＤｅＮＢセルに基づいて測定イベントをトリガーする。
【０１４７】
解決策３：新たなリレー特有の測定イベントが導入される。
−方法３．１：新たなリレー特有の場所に基づく測定イベントが導入される。
−方法３．２：ＭＲＮで使用するために、サービングセルに基づく測定イベントが作成される。
○方法３．２．１：新たなリレー特有のサービングセルに基づく測定イベントが導入される。
○方法３．２．２：ＭＲＮで使用するために、既存のサービングセルに基づく測定イベントが変更される。
【０１４８】
解決策４：ＭＲＮがＲＲＣメッセージを用いてハンドオーバーを要求する。
−方法４．１：ＭＲＮが新たなリレー特有のＲＲＣメッセージを用いてハンドオーバーを自律的に要求する。
○方法４．１．１：ＭＲＮが、自らの場所及び所定の経路情報に基づいてハンドオーバーをトリガーする。
○方法４．１．２：ＭＲＮが、サービングセル測定及び所定の経路情報に基づいてハンドオーバーをトリガーする。
−方法４．２：ＭＲＮが、中継のために多少の変更を加えて、既存の「近接指示」手順を用いる。
【０１４９】
解決策５：ＤｅＮＢが所定の経路情報を用いてハンドオーバーをトリガーする。
−方法５．１：ＤｅＮＢが位置特定サービス及び所定の経路情報を用いてハンドオーバーをトリガーする。
−方法５．２：ＤｅＮＢが既存のサービングセル測定及び所定の経路情報を用いてハンドオーバーをトリガーする。
【０１５０】
可能性がある解決策及び方法の詳細な説明が以下に記述される。
【０１５１】
解決策１：ＭＲＮがＵＥと同じ周波数内／周波数間測定を実行する
通常のＵＥの場合の既存の全体的なモビリティシーケンスがＴＳ３６．３００のセクション１０．１．２において記述される［５］。以下のシーケンスは、そのシーケンスの開始に、すなわち、ｅＮＢによる測定の設定及び後続のハンドオーバーのトリガー処理に焦点を合わせる。図１２を参照。
【０１５２】
この解決策の場合、既存のＵＥ測定手順及びシグナリングが、変更を加えることなく、ＭＲＮ及びＤｅＮＢによって再利用される。すなわち、以下の通りである。
○ＤｅＮＢが、ＭＲＮに、ＵＥと同じシグナリング及び手順を用いて、ＵＥと同じ測定、例えば、イベントＡ５を実行するように求めることができる。
○ＭＲＮがＵＥに対して既存と同様のやり方で測定を実行する。測定イベントもこれまで通りにトリガーされ、すなわち、ＭＲＮは、セルを許可ＤｅＮＢセルリストと照合しない。
○隣接セル測定に基づいてハンドオーバーをトリガーすることができ、全てのセルが測定イベントをトリガーするために用いられる。
【０１５３】
しかしながら、本文書の冒頭に列挙された問題は対処されない。さらに、この解決策は、ＭＲＮが周波数間測定を実行するために測定間隔を必要とする。
【０１５４】
この解決策のために対処される必要がある具体的な問題は、ＤｅＮＢが、許可されないＤｅＮＢセルに対するハンドオーバーをトリガーすべきでないということである。
【０１５５】
ＤｅＮＢが、許可されないＤｅＮＢセルへのハンドオーバーをトリガーしないのを確実にする方法は以下の通りである。
−方法１．１：ＤｅＮＢが、許可ＤｅＮＢセルリストに対して、報告されたセルのフィルタリングを実行しなければならない。
【０１５６】
そのフィルタリングは、ＲＲＣ：測定報告の受信時に実行される。図１３を参照。
３ＧＰＰリリース１０において、ＤｅＮＢは許可／非許可ＤｅＮＢセル情報を有するように規定されないが、この解決策の場合にはこれが必要とされる。これを果たす方法は以下の通りである。
□方法１．１．１：許可ＤｅＮＢセルリストを、Ｏ＆Ｍを介してＤｅＮＢが入手することができる。
この情報（例えば、許可ＤｅＮＢセルリスト）は、ＤｅＮＢがＭＲＮをサービングしているときに、ＤｅＮＢによってＯ＆Ｍからダウンロードすることができる。
既存の許可ＤｅＮＢセルリストはＲＮ特有とすることができるので（Ｒｅｌ’１０では、ＲＮ  Ｏ＆Ｍからダウンロードされる）、ＤｅＮＢは以下のいずれかを実施しなければならない。
○ＲＮ特有のＯ＆Ｍにアクセスする。
○ＲＮ特有情報をＤｅＮＢ  Ｏ＆Ｍにおいて入手できなければならない。
○許可ＤｅＮＢセルリストがＲＮ特有であることを許可されない。
□方法１．１．２：許可ＤｅＮＢセルリストを、Ｘ２を介してＤｅＮＢが入手することができる。
セル情報がＸ２を介して、例えば、Ｘ２設定要求、Ｘ２設定応答、ＥＮＢ構成更新メッセージにおいて交換されるとき、セルごとに、その情報に付加的な指示子（例えば、「ＭＲＮハンドオーバー許可」ＩＥ）が追加される。
これは次のメッセージシーケンスに示されている（ＴＳ３６．４２３［６］のセクション８．３．３及び８．３．５に基づく）。図１４を参照。
この情報はネットワーク全体にわたるものであり、すなわち、ＲＮ特有ではない。ＲＮ特有の詳細は、方法１．１．１において記述されるように取り扱われる。
【０１５７】
解決策２：ＭＲＮがＵＥと同じ周波数内／周波数間測定を実行するが、リレー特有のいくつかの拡張を伴う。
この解決策の場合、リレー特有の多少の変更を加えて、既存のＵＥ測定手順及びシグナリングが再利用される。
−方法２．１：ＭＲＮが、許可ＤｅＮＢセルに基づく測定イベントだけをトリガーする。この方法は、測定イベントが無関係のセルによってトリガーされるのを回避する。
ＤｅＮＢは、ＭＲＮに、同じシグナリング及び手順を用いて、ＵＥと同じ測定、例えば、イベントＡ５を実行するように求めることができる。
「許可ＤｅＮＢセル」を、ＲＮがＲＮ  Ｏ＆Ｍから入手することができる。これは、ＲＮ起動時にダウンロードされ、Ｒｅｌ’１０において既に標準化されている。
その測定手順では、ＴＳ３６．３１１のセクション５．５．４．１において記述されるように、測定イベントトリガー処理条件が満たされたか否かを判断するときに、ＭＲＮは、「許可ＤｅＮＢセル」（例えば、Ｏ＆Ｍからダウンロードされる）のみを考慮する［３］。
□例えば、イベントＡ５（Ｐセルが閾値１より悪くなり、隣接セルが閾値２より良好になる）が、任意の隣接セルによってトリガーされる場合がある。その隣接セルが許可ＤｅＮＢセルであることが保証される場合には、そのイベントは、ＭＲＮハンドオーバーのための有意なトリガーとして用いることができる。
この方法はオプションで以下のことを実施することにより向上させることができる。
○測定され、報告された測定報告の結果内に「許可ＤｅＮＢセル」のみを含むようにＭＲＮを制限する。測定報告は、許可ＤｅＮＢセルに基づいてトリガーされるが、そのＤｅＮＢは、ハンドオーバーのためにそのセルを選択する必要はなく、例えば、測定報告内の他のセルを見ることができる。測定報告内の全てのセルを許可ＤｅＮＢセルだけに制限することによって、これは、ＤｅＮＢに、ＨＯターゲットとして選択することができる許可ＤｅＮＢセルの完全なプールを通知することになる。
○既存の「許可ＤｅＮＢセル」リストを拡張させる。一例が、許可ＤｅＮＢセルごとに、次の許可ターゲットＤｅＮＢセル（複数の場合もある）を含めることである。長い列車線路の場合に「許可ＤｅＮＢセル」リストがかなり大きい場合があるので、有用な場合がある、ＨＯ時にＤｅＮＢによって考慮されるべきセルを更に制限する。
この解決策は、ＭＲＮが周波数間測定を実行するために測定間隔を必要とする。図１５を参照。
【０１５８】
解決策３：リレー特有の使用のために測定イベントが作成されるか、又は変更される。
この解決策は、列車に取り付けられたＭＲＮが既知の経路を使用し、それゆえ、次のターゲットＤｅＮＢセルをあらかじめ決定できるという事実を利用する。
−方法３．１：新たなリレー特有の場所に基づく測定イベントが導入される。
ＭＲＮが自らの場所及び所定の経路情報に基づいてハンドオーバーをトリガーする。
この方法では、場所計算のみが必要とされる。実行される測定回数が少ないので、ハンドオーバー遅延も短縮される。
この方法では、ＤｅＮＢは、既存のＲＲＣ測定手法シグナリング及び手順を用いて、ＭＲＮ内に新たなイベント、例えば、「場所に基づく要ＲＮハンドオーバー」を構成することができる。測定構成は、必要とされる位置決めの詳細、例えば、位置特定精度を含むことができる。
この方法では、ＭＲＮは、例えば、Ａ−ＧＰＳを用いて、その自らの場所計算を実行／要求することができ、これを所定のハンドオーバー情報と比較して、ハンドオーバーがいつ必要とされるか否かを判断する。
３ＧＰＰリリース１０では、ＭＲＮは、任意の所定のＭＲＮハンドオーバー情報にアクセスするように現時点では規定されていない。この方法の場合、ＲＮ起動時に許可ＤｅＮＢセルをダウンロードするとともに、ＭＲＮが所定のＭＲＮハンドオーバー情報（地理的座標、次の許可ＭＲＮセル等）を入手できるようにすべきである。
ＭＲＮによって送信される測定報告は、測定イベントをトリガーした許可ターゲットＤｅＮＢセルを指示することができ、オプションで、任意の他の許可ターゲットＤｅＮＢセルを指示することができる。図１６を参照。
−方法３．２：サービングセルに基づく測定イベントを用いて、ハンドオーバーをトリガーする。
この方法では、サービングＤｅＮＢセルのみが測定される。これは、隣接セルより測定するのが容易であり、それゆえ、誤り及び遅延を起こす傾向が少ない。
ＤｅＮＢは、ＭＲＮに、サービングセルが閾値未満に降下する時点を報告する測定イベントを構成するように要求することができる。
このイベントは、この目的のために作成された新たな測定イベント、例えば、「サービングセルが閾値未満であることに基づく要ＲＮハンドオーバー」とすることができるか、又はこの目的のために、既存の測定イベントＡ２を変更することができる。
新たなイベント又は変更されたイベントは、既存のＲＲＣ測定手法シグナリング及び手順を用いて構成することができる。
そのイベントがトリガーされるとき、ＭＲＮは、所定の経路情報を用いて、次のターゲットＤｅＮＢセルを選択する。ＭＲＮは、現時点でこの情報を有しない。ＭＲＮは、ＲＮ起動時の許可ＤｅＮＢセルのダウンロードとともに、ＲＮによってＯ＆Ｍからダウンロードすることができる。
ＭＲＮによって送信される測定報告は、測定イベントをトリガーした許可ターゲットＤｅＮＢセルを指示することができ、オプションで、任意の他の許可ターゲットＤｅＮＢセルを指示することができる。
ＭＲＮが次のターゲットＤｅＮＢセルを選択するやり方は、自らの移動について入手可能な情報によって決まる。
●サービングＤｅＮＢセル情報及び以前のサービングＤｅＮＢセル履歴
○ＤｅＮＢセル履歴によって、ＭＲＮはＤｅＮＢセルの所定の順序と比較し、次のＤｅＮＢセルを判断できるようになる。ＭＲＮはＵＥ履歴情報ＩＥを入手することができないので、ＭＲＮは自らこの情報を保持する必要がある。
●サービングＤｅＮＢセル情報及び位置特定情報
○ＭＲＮは、その詳細な場所、又はその位置に関する何らかの指示、例えば、進行方向を認識している必要がある。
○その際、ＭＲＮは、所定のＤｅＮＢセル情報と（位置特定情報とともに）比較し、次のＤｅＮＢセルを判断することができる。図１７を参照。
【０１５９】
解決策４：ＭＲＮがＲＲＣメッセージを用いてハンドオーバーを要求する。
−方法４．１：ＭＲＮが新たなリレー特有ＲＲＣメッセージを用いてハンドオーバーを自律的に要求する。
この解決策は解決策３に類似であるが、ＤｅＮＢによる構成を必要とする代わりに、ＭＲＮがハンドオーバートリガー条件を自律的にチェックする。
ＤｅＮＢに、この中継ノードに関してハンドオーバーが必要とされることを通知するために、ＭＲＮからＤｅＮＢへの新たなＲＲＣメッセージ、例えば、ＲＲＣ：要ＲＮハンドオーバーが特に作成される。
この新たなメッセージは、ハンドオーバーをトリガーした許可ターゲットＤｅＮＢセルを指示することができ、オプションで、任意の他の許可ターゲットＤｅＮＢセルを指示することができる。解決策３と同様に、ハンドオーバーは以下に基づいてトリガーすることができる。
−方法４．１．１：ＭＲＮが自らの場所及び所定の経路情報に基づいてハンドオーバーをトリガーする。
−方法４．１．２：ＭＲＮがサービングセル測定及び所定の経路情報に基づいてハンドオーバーをトリガーする。図１８を参照。
−方法４．２：リレーで使用するために何らかの変更を加えて、ＭＲＮが既存の「近接指示」手順を使用する
３ＧＰＰリリース１０では、ＴＳ．３３１［３］において近接指示手順が定義されており、ＵＥが１つ又は複数のＣＳＧメンバーセルの付近に入りつつあるか、又はその付近から離れつつあることを指示するために用いられる。近接の検出は、ＴＳ３６．３０４［４］において定義されるような自律探索関数に基づき、探索関数自体はＵＥの実施態様に委ねられている。
近接指示機能は、ＭＲＮで使用するために、例えば、ＭＲＮがＤｅＮＢの付近に入りつつあるか、又はその付近から離れつつあることを指示するために拡張することができる。
一例が以下の図に示される。
注記：図中の破線は、その手順のオプション部分を表す。図１９を参照。
１．ＤｅＮＢが、これまで通りにＲＮ起動／ＲＮハンドオーバーの一部としてＲＲＣ接続再構成手順を実行する。ＲＲＣ接続再構成メッセージは、ＭＲＮに関する近接指示が必要とされることを指示する新たなＩＥ、例えば、「ｐｒｏｘｉｍｉｔｙＩｎｄｉｃａｔｉｏｎＥＵＴＲＡ−ＲＮ」を含む。
２．ＭＲＮが、これまで通りに、ＲＲＣ接続再構成完了メッセージで応答する。
３．その後、ＭＲＮは、ＤｅＮＢセルに関する自律的探索を実行することになる。この探索は、Ｏ＆Ｍからダウンロードされるような許可ＤｅＮＢセルのみに限定することができる。実際の探索機構は、これまで通りに実施態様に委ねることができるが、以下のオプションを含むことができる。
ａ．場所に基づく
ｂ．測定に基づく
４．ＭＲＮはＲＲＣ：近接指示メッセージを送信する。ＲＲＣ近接指示メッセージは、適切なＤｅＮＢセル（複数の場合もある）が検出されたことを指示する新たなＩＥを含み、ＤｅＮＢセル（複数の場合もある）の識別情報、例えば、ＰＣＩ（複数の場合もある）も含む。
５．その後、ＤｅＮＢは、例えば、ハンドオーバーをトリガーする時点を判断するために、かつターゲットセルを判断するために、更なるＵＥ測定を実行することを望む場合がある。ＤｅＮＢは近接指示だけに基づいてハンドオーバーをトリガーすることができるので、このステップはオプションである。
６．その後、ＤｅＮＢはこれまで通りにハンドオーバーを実行する。
【０１６０】
解決策５：ＤｅＮＢが所定の経路情報を用いてハンドオーバーをトリガーする
−方法５．１：ＤｅＮＢが位置特定サービス及び所定の経路情報を用いてハンドオーバーをトリガーする
この方法では、場所計算のみが必要とされる。実行される測定回数が少ないので、ハンドオーバー遅延も短縮される。
列車に取り付けられたＭＲＮは既知の経路を使用し、それゆえ、ハンドオーバーのターゲットＤｅＮＢセルはあらかじめ決定することができる。
ＤｅＮＢは、例えば、ＬＣＳ［２］の位置特定要求サービスを用いて、ＭＲＮの場所を知り、これを所定のハンドオーバー情報と比較して、ハンドオーバーが必要とされるか、及びどのセルに向かうかを判断する必要がある。
３ＧＰＰリリース１０において、ＤｅＮＢは、任意の所定のＭＲＮハンドオーバー情報にアクセスするように現時点では規定されていない。例えば、ＤｅＮＢがＭＲＮをサービングしているときにＯ＆Ｍからダウンロードすることによって、ＤｅＮＢが所定のＭＲＮハンドオーバー情報（地理的座標、次の許可ＭＲＮセル等）を入手できるようにすべきである。
既存の許可ＤｅＮＢセルリストはＲＮ特有とすることができるので（Ｒｅｌ’１０では、ＲＮ  Ｏ＆Ｍからダウンロードされる）、ＤｅＮＢは以下のいずれかを実施しなければならない。
○ＲＮ特有のＯ＆Ｍにアクセスする。
○ＲＮ特有情報をＤｅＮＢ  Ｏ＆Ｍにおいて入手できなければならない。
○許可ＤｅＮＢセルリストがＲＮ特有であることは許されない。
図２０を参照。
−方法５．２：ＤｅＮＢが既存のサービングセル測定及び所定の経路情報を用いてハンドオーバーをトリガーする
この解決策では、サービングＤｅＮＢセルのみが測定される。これは、隣接セルより測定するのが容易であり、それゆえ、誤り及び遅延を起こす傾向が少ない。
列車に取り付けられたＭＲＮは既知の経路を使用し、それゆえ、次のターゲットＤｅＮＢセルはあらかじめ決定することができる。
ＤｅＮＢは、サービングセルが閾値未満に降下するときに、すなわち、既存の測定イベントＡ２を用いて、ＭＲＮに測定イベントをトリガーするように要求することによって、モビリティ手順を開始することができる。
イベント、例えば、測定イベントＡ２がトリガーされるとき、ＤｅＮＢは所定の経路情報を用いて次のターゲットＤｅＮＢセルを選択する。そのＤｅＮＢは、この情報を現時点で有していない。それは、ＭＲＮをサービングしているときに、ＤｅＮＢによってＯ＆Ｍからダウンロードすることができる。
□注記：この情報はＲＮ特有とすることができる（すなわち、異なるＲＮが異なる列車線路上に存在することができる）ので、ＤｅＮＢは、ＲＮ特有のＯ＆Ｍにアクセスしなければならないか、又はＤｅＮＢ  Ｏ＆Ｍにおいて同等の情報を入手できなければならない。
ＤｅＮＢが次のターゲットＤｅＮＢセルを選択するやり方は、ＭＲＮ移動について入手可能な情報によって決まる。
□サービングＤｅＮＢセル識別子及び以前のサービングＤｅＮＢセル履歴
●ＤｅＮＢセル履歴によって、サービングＤｅＮＢは、ＤｅＮＢセルの所定の順序と比較し、次のＤｅＮＢセルを判断できるようになる。ＵＥ履歴情報ＩＥは、Ｓ１／Ｘ２ハンドオーバー準備手順内で既に必須である。
□サービングＤｅＮＢセル識別子及び位置特定情報
●ＤｅＮＢに与えられる位置特定情報は、ＭＲＮの完全な場所の位置決め、又はＭＲＮ位置に関する何らかの指示だけ、例えば、進行方向とすることができる。この情報は、現時点でＤｅＮＢは入手できない。これは、例えば、測定イベントＡ２報告の一部として、又は新たな測定イベントとして追加される必要がある。
●その際、サービングＤｅＮＢは、所定のＤｅＮＢセル情報と（位置特定情報とともに）比較し、次のターゲットＤｅＮＢセルを判断することができる。図２１を参照。
注記：全ての上記の解決策は、Ｏ＆Ｍを介して与えられることになる許可ＤｅＮＢセルリストを考慮する。同じ手法は、許可ＤｅＮＢセル情報が、他の手段、例えば、システム情報を介して与えられる場合にも当てはまる。
【０１６１】
引用文献
［１］PR-111377, New Study Item Proposal: Mobility Relay for E-UTRA, 3GPP TSG RAN#53, Fukuoka, Japan, Sep 13-16 2011
［２］3GPP TS 23.271 (V10.2.0), Functional Stage 2 description of Location Services (LCS)
［３］3GPP TS 36.331 (V10.6.0), E-UTRA; Radio Resource Control (RCC); Protocol specification
［４］3GPP TS 36.304 (V11.0.0), E-UTRA; User Equipment (UE) procedures in idle mode
［５］3GPP TS 36.300 (V10.8.0), E-UTRA and E-UTRAN; Overall description; Stage 2
［６］3GPP TS 36.423, E-UTRAN(V11.1.0); X2 Application Protocol (X2AP)
【０１６２】
上記の実施形態の全体又は一部を以下のように記述することもできるが、それに限定されるものではない。
【０１６３】
したがって、本発明の一態様は、複数の基地局を備える通信システムの基地局であって、該基地局によって現在サービングされている移動中継ノードのハンドオーバーを開始し、該基地局は、
前記移動中継ノードに前記通信システムへのアクセスを与えるように前記基地局のサービングセルを前記移動中継ノードと関連付ける手段と、
少なくとも１つの更なる基地局を識別し、前記少なくとも１つの更なる基地局が、前記少なくとも１つの更なる基地局によって運用される少なくとも１つのセルを介して、前記移動中継ノードにドナーサービスを提供できることを指示する情報を得る手段と、
前記移動中継ノードが前記サービングセルとは異なるセルにハンドオーバーする必要がある時点を判断する手段と、
前記得られた情報によって識別される前記少なくとも１つの更なる基地局の前記少なくとも１つのセルから、前記移動中継ノードの前記ハンドオーバーのためのターゲットセルを選択する手段と、
を備える、複数の基地局を備える通信システムの基地局を提供する。
【０１６４】
前記得られた情報は、ドナーサービスを提供することができる基地局のリスト（例えば、「ホワイトリスト」又はドナー基地局「ホワイトリスト」のようなリスト）を含むことができる。さらに、前記得られた情報は、前記移動中継ノードの所定の経路に関連する情報を含むことができる。
【０１６５】
前記移動中継ノードの所定の経路に関連する前記情報は、前記経路を表す地理的情報、前記経路に沿ったドナー対応セル／基地局のリスト、及び前記経路に沿った次のドナー対応セル／基地局を識別する情報のうちの少なくとも１つを含むことができる。
【０１６６】
所定の経路に関連する前記情報は、前記サービングセルの場所によって決めることができる。さらに、所定の経路に関連する前記情報は、前記サービングセルの前記場所に対する前記経路に沿った次のドナー対応セル／基地局を識別することができる。
【０１６７】
前記得る手段は、運用保守エンティティ（「ＯＡＭ」）から前記情報を得るように動作可能であることができる。さらに、前記得る手段は、更なる基地局から前記情報の少なくとも一部を得るように動作可能であることができる。前記得る手段は、また、少なくとも１つのＸ２プロトコルメッセージを用いるように動作可能であることができる。
【０１６８】
前記少なくとも１つのＸ２プロトコルメッセージは、「Ｘ２設定要求」、「Ｘ２設定応答」及び「ＥＮＢ構成更新」メッセージのうちの少なくとも１つを含むことができる。さらに、前記少なくとも１つのＸ２プロトコルメッセージは、前記移動中継ノードが動作することができる前記特定の基地局の各セルを識別する指示子（例えば、「ＭＲＮハンドオーバー許可」情報要素を含むことができる。
【０１６９】
前記情報は、前記移動中継ノードが前記サービングセルからハンドオーバーすることができる少なくとも１つの基地局及び／又は少なくとも１つのセルの識別情報を含むことができる。
【０１７０】
前記得る手段は、前記移動中継ノードから前記情報を得るように動作可能であることができる。さらに、前記得る手段は、少なくとも１つのＲＲＣプロトコルメッセージにおいて前記移動中継ノードから前記情報を得るように動作可能であることができる。
【０１７１】
前記少なくとも１つのＲＲＣプロトコルメッセージは、「測定報告」、「要ＲＮハンドオーバー」及び「近接指示」メッセージのうちの少なくとも１つを含むことができる。さらに、前記少なくとも１つのＲＲＣプロトコルメッセージは、前記移動中継ノードがハンドオーバーすることができる基地局の少なくとも１つのセルの識別情報（例えば、物理セル識別子「ＰＣＩ」）を含む、少なくとも１つの情報要素を含むことができる。
【０１７２】
基地局は、前記移動中継ノードを、前記ターゲットセルの選択に関連する手順を実行するように構成する手段を更に備えることができる。
【０１７３】
前記移動中継ノード構成手段は、少なくとも１つのセルの測定を構成するように動作可能であることができる。
【０１７４】
前記少なくとも１つのセルは前記サービングセル及び／又は少なくとも１つの隣接するセルを含むことができる。
【０１７５】
前記移動中継ノード構成手段は、ドナー対応セルの探索を構成するように動作可能であることができる。
【０１７６】
基地局は、前記ターゲットセルの前記選択に関連して前記基地局によって実行されることになる位置決めプロセスを構成する手段を更に備えることができる。
【０１７７】
前記位置決めプロセス構成手段は、前記位置決めプロセスを、前記移動中継ノードの現在の地理的場所を得るように構成するように動作可能であることができる。
【０１７８】
前記移動中継ノード構成手段は、前記移動中継ノードを、場所に基づく測定（例えば、「位置測定」）イベント、サービングセルに基づく測定（例えば、「サービングセル測定」）イベント及び近接指示イベント（例えば、「ＤｅＮＢセル探索」）のうちの少なくとも１つを実行するように構成するように動作可能であることができる。
【０１７９】
前記移動中継ノード構成手段は、少なくとも１つのＲＲＣプロトコルメッセージを用いて前記構成を実行するように動作可能であることができる。
【０１８０】
前記少なくとも１つのＲＲＣプロトコルメッセージは、接続再構成メッセージ（例えば、ＲＲＣ接続再構成メッセージ）を含むことができる。さらに、前記少なくとも１つのＲＲＣプロトコルメッセージは、情報要素を含むことができる。前記情報要素は、「ＭｅａｓＣｏｎｆｉｇ」及び「近接指示」（例えば、「ｐｒｏｘｉｍｉｔｙＩｎｄｉｃａｔｉｏｎＥＵＴＲＡ−ＲＮ」）情報要素の少なくとも１つを含むことができる。
【０１８１】
本発明の一態様は、複数の基地局を備える通信システムの移動中継ノードであって、該移動中継ノードをサービングする現在の基地局によってハンドオーバーターゲットセルを選択するための情報を与え、該移動中継ノードは、
ドナー基地局として動作する前記現在の基地局のサービングセルと協働する手段と、
少なくとも１つの更なる基地局を識別し、前記少なくとも１つの更なる基地局が、前記少なくとも１つの更なる基地局によって運用される少なくとも１つのセルを介して、前記中継ノードにドナーサービスを提供できることを指示する情報を得る手段と、
前記移動中継ノードが位置するカバレッジエリアを有する少なくとも１つのセルの通信特性の測定を構成し、実行する手段と、
前記現在の基地局に、前記測定の結果を含む少なくとも１つの測定報告を報告する手段と、
を備え、該移動中継ノードは、
前記少なくとも１つの測定報告において、前記得られた情報によって識別された前記少なくとも１つの更なる基地局の少なくとも１つのセルに関連する測定の結果を与え、
前記少なくとも１つの測定報告において、前記移動中継ノードが位置するが、前記得られた情報によって識別された前記少なくとも１つの更なる基地局によって運用されないカバレッジエリアを有するセルに関連する測定の結果を与えないように動作可能である、複数の基地局を備える通信システムの移動中継ノードを提供する。
【０１８２】
測定を構成し、実行する前記手段は、
前記得られた情報によって識別された前記少なくとも１つの更なる基地局の少なくとも１つのセルに関連する測定を実行し、
前記移動中継ノードが位置するが、前記得られた情報によって識別された前記少なくとも１つの更なる基地局によって運用されないカバレッジエリアを有するセルに関連する測定を実行しないように動作可能であることができる。
それに応じて、前記報告する手段は、前記得られた情報によって識別された前記少なくとも１つの更なる基地局の少なくとも１つのセルに関連する前記測定を報告するように動作可能であることができる。
【０１８３】
測定を構成し、実行する前記手段は、
特定のセルが、前記得られた情報によって識別された前記少なくとも１つの更なる基地局によって運用されるか否かにかかわらず、そのセルに関連する測定を実行するように動作可能であることができる。前記報告する手段は、
前記得られた情報によって識別された前記少なくとも１つの更なる基地局の少なくとも１つのセルに関連する実行された測定を報告し、
前記移動中継ノードが位置するが、前記得られた情報によって識別された前記少なくとも１つの更なる基地局によって運用されないカバレッジエリアを有するセルに関連する実行された測定を報告しないように動作可能であることができる。
【０１８４】
前記得られた情報は、ドナーサービスを提供することができる基地局のリスト（例えば、「ホワイトリスト」又はドナー基地局「ホワイトリスト」のようなリスト）を含むことができる。さらに、前記得られた情報は、前記移動中継ノードの所定の経路に関連する情報を含むことができる。
【０１８５】
前記移動中継ノードの所定の経路に関連する前記情報は、前記経路を表す地理的情報、前記経路に沿ったドナー対応セル／基地局のリスト、及び前記経路に沿った次のドナー対応セル／基地局を識別する情報のうちの少なくとも１つを含むことができる。また、所定の経路に関連する前記情報は、前記サービングセルの場所によって決まる。さらに、所定の経路に関連する前記情報は、前記サービングセルの前記場所に対する前記経路に沿った次のドナー対応セル／基地局を識別することができる。
【０１８６】
前記得る手段は、運用保守エンティティ（「ＯＡＭ」）から前記情報を得るように動作可能であることができる。
【０１８７】
前記情報は、前記移動中継ノードが前記サービングセルからハンドオーバーすることができる少なくとも１つの基地局及び／又は少なくとも１つのセルの識別情報を含むことができる。
【０１８８】
前記得る手段は、前記移動中継ノードから前記情報を得るように動作可能であることができる。さらに、前記得る手段は、少なくとも１つのＲＲＣプロトコルメッセージにおいて前記移動中継ノードから前記情報を得るように動作可能であることができる。
【０１８９】
前記少なくとも１つのＲＲＣプロトコルメッセージは、「測定報告」、「要ＲＮハンドオーバー」及び「近接指示」メッセージのうちの少なくとも１つを含むことができる。さらに、前記少なくとも１つのＲＲＣプロトコルメッセージは、前記移動中継ノードがハンドオーバーすることができる基地局の少なくとも１つのセルの識別情報（例えば、物理セル識別子「ＰＣＩ」）を含む、少なくとも１つの情報要素を含むことができる。
【０１９０】
前記構成し、実行する手段は、前記サービングセル及び／又は少なくとも１つの隣接するセルを含む、少なくとも１つのセルに関連する測定を構成し、実行するように動作可能であることができる。
【０１９１】
前記得る手段は、ドナー対応セルの探索を実行し、それにより、前記情報であって、少なくとも１つの更なる基地局を識別し、該少なくとも１つの更なる基地局が、該少なくとも１つの更なる基地局によって運用される少なくとも１つのセルを介して前記中継ノードにドナーサービスを提供することができることを指示する前記情報を得るように動作可能であることができる。
【０１９２】
前記構成し、実行する手段は、前記移動中継ノードを、場所に基づく測定（例えば、「位置測定」）イベント、サービングセルに基づく測定（例えば、「サービングセル測定」）イベント及び近接指示イベントに関連する手順（例えば、「ＤｅＮＢセル探索」）のうちの少なくとも１つを構成し、実行するように動作可能であることができる。さらに、前記構成し、実行する手段は、前記現在の基地局から少なくとも１つのＲＲＣプロトコルメッセージを受信するように動作可能であることができる。
【０１９３】
前記少なくとも１つのＲＲＣプロトコルメッセージは、接続再構成メッセージ（例えば、ＲＲＣ接続再構成メッセージ）を含むことができる。さらに、前記少なくとも１つのＲＲＣプロトコルメッセージは、情報要素を含むことができる。
【０１９４】
前記情報要素は、「ＭｅａｓＣｏｎｆｉｇ」及び「近接指示」（例えば、「ｐｒｏｘｉｍｉｔｙＩｎｄｉｃａｔｉｏｎＥＵＴＲＡ−ＲＮ」）情報要素の少なくとも１つを含むことができる。
【０１９５】
前記転送する手段は、少なくとも１つのＲＲＣプロトコルメッセージにおいて、少なくとも１つの識別された更なる基地局の少なくとも１つのセルに関連する前記情報を転送するように動作可能であることができる。
【０１９６】
前記少なくとも１つのＲＲＣプロトコルメッセージは、「測定報告」、「要ＲＮハンドオーバー」及び「近接指示」メッセージのうちの少なくとも１つを含むことができる。さらに、前記少なくとも１つのＲＲＣプロトコルメッセージは、前記少なくとも１つの更なる基地局の前記少なくとも１つのセルの識別情報（例えば、物理セル識別子「ＰＣＩ」）を含む、少なくとも１つの情報要素を含むことができる。
【０１９７】
本発明の別の態様は、上記の基地局と、上記の移動中継ノードとを備えるシステムを提供する。
【０１９８】
本発明の別の態様は、複数の基地局を備える通信システム内の基地局によって、前記基地局によって現在サービングされている中継ノードのハンドオーバーを開始するように実行される方法であって、該方法は、
前記移動中継ノードに前記通信システムへのアクセスを与えるように前記基地局のサービングセルを前記移動中継ノードに関連付けることと、
少なくとも１つの更なる基地局を識別し、前記少なくとも１つの更なる基地局が、前記少なくとも１つの更なる基地局によって運用される少なくとも１つのセルを介して前記移動中継ノードにドナーサービスを提供することができることを指示する情報を得ることと、
前記移動中継ノードが前記サービングセルとは異なるセルへのハンドオーバーを必要とする時点を判断することと、
前記得られた情報によって識別された前記少なくとも１つの更なる基地局の前記少なくとも１つのセルから、前記移動中継ノードの前記ハンドオーバーのためのターゲットセルを選択することと、
前記選択されたターゲットセルへの前記移動中継ノードのハンドオーバーを実行することと、
を含む、複数の基地局を備える通信システム内の基地局によって、前記基地局によって現在サービングされている中継ノードのハンドオーバーを開始するように実行される方法を提供する。
【０１９９】
本発明の別の態様は、複数の基地局を備える通信システム内の移動中継ノードによって、前記移動中継ノードをサービングする現在の基地局によるハンドオーバーターゲットセル選択のための情報を与えるように実行される方法であって、該方法は、
ドナー基地局として動作している前記現在の基地局のサービングセルと協働することと、
少なくとも１つの更なる基地局を識別し、該少なくとも１つの更なる基地局が、前記少なくとも１つの更なる基地局によって運用される少なくとも１つのセルを介して前記中継ノードにドナーサービスを提供することができることを指示する情報を得ることと、
前記移動中継ノードが位置するカバレッジエリアを有する少なくとも１つのセルの通信特性の測定を構成し、実行することと、
前記現在の基地局に、前記測定の結果を含む少なくとも１つの測定報告を報告することと、
を含み、前記報告するステップにおいて、前記移動中継は、
前記少なくとも１つの測定報告において、前記得られた情報によって識別された前記少なくとも１つの更なる基地局の少なくとも１つのセルに関連する測定の結果を与え、
前記少なくとも１つの測定報告において、前記移動中継ノードが位置するが、前記得られた情報によって識別された前記少なくとも１つの更なる基地局によって運用されないカバレッジエリアを有するセルに関連する測定の結果を与えない、複数の基地局を備える通信システム内の移動中継ノードによって、前記移動中継ノードをサービングする現在の基地局によるハンドオーバーターゲットセル選択のための情報を与えるように実行される方法を提供する。
【０２００】
本発明の別の態様は、上記の基地局又は上記の移動中継ノードとしてプログラマブルコンピューターデバイスを構成させるコンピューター実施可能命令を含む、コンピュータープログラム製品を提供する。
【０２０１】
また、本発明は、対応する方法と、搬送波信号において、又はＣＤ、ＤＶＤ等の記録媒体において与えることができるコンピューターソフトウェア製品とを提供する。
【０２０２】
本出願は、２０１２年７月１３日付けの英国特許出願第１２１２５３７．３号に基づき、その特許出願からの優先権の利益を主張し、その特許出願の開示は引用することによりその全体が本明細書の一部をなす。
【図１】
0005971502.tif 000002
【図２】
0005971502.tif 000003
【図３】
0005971502.tif 000004
【図４】
0005971502.tif 000005
【図５】
0005971502.tif 000006
【図６】
0005971502.tif 000007
【図７】
0005971502.tif 000008
【図８】
0005971502.tif 000009
【図９】
0005971502.tif 000010
【図１０】
0005971502.tif 000011
【図１１】
0005971502.tif 000012
【図１２】
0005971502.tif 000013
【図１３】
0005971502.tif 000014
【図１４】
0005971502.tif 000015
【図１５】
0005971502.tif 000016
【図１６】
0005971502.tif 000017
【図１７】
0005971502.tif 000018
【図１８】
0005971502.tif 000019
【図１９】
0005971502.tif 000020
【図２０】
0005971502.tif 000021
【図２１】
0005971502.tif 000022